(57)【特許請求の範囲】
【請求項１】
複数の画像が配されたアルバムページを含み、タッチパネルディスプレイに表示されるアルバム画面を生成する画面生成部と、
前記タッチパネルディスプレイへのジェスチャ指示を受け付ける指示受付部であり、前記ジェスチャ指示として、前記アルバムページ内で前記画像を拡大表示する拡大指示を受け付ける指示受付部と、
前記拡大指示された前記画像である拡大対象画像を認識する認識部と、
前記認識部で認識された前記拡大対象画像を拡大する拡大処理と、前記拡大対象画像とは別の前記画像であって、前記拡大対象画像の拡大後の領域である拡大領域に重なる前記画像を前記アルバムページから削除する削除処理とを含むアルバム編集処理を実行するアルバム編集部と、
前記削除処理を実行する前に、前記拡大領域に重なる前記画像であって前記アルバムページから削除する予定の前記画像である削除予定画像に対して、前記削除処理を実行してよいか否かを問い合わせる問い合わせ部とを備え、
前記指示受付部は、
前記アルバムページ内を１本の指でなぞるスワイプ操作が行われた場合に、前記スワイプ操作の始点となる画像を前記拡大対象画像とした前記拡大指示を受け付けるとともに、
前記スワイプ操作において指でなぞられた軌跡上に存在する画像の表示領域を繋げた連結領域、または、前記連結領域により囲まれた領域を、前記拡大領域として受け付ける、電子アルバム装置。
【請求項２】
前記問い合わせ部は、前記アルバム画面に前記削除予定画像のリストを表示し、前記リストを通じて、前記削除処理を実行せずに前記アルバムページに残す前記削除予定画像を選択する第１選択指示、または前記削除処理を実行して前記アルバムページから削除する前記削除予定画像を選択する第２選択指示を受け付ける請求項１に記載の電子アルバム装置。
【請求項３】
前記削除予定画像について、前記削除処理を実行すべきものかを表す第１評価値、または前記削除処理を実行せずに前記アルバムページに残すべきものかを表す第２評価値を取得する取得部を備え、
前記問い合わせ部は、前記リストにおいて、前記第１評価値または前記第２評価値に応じた表示形態で前記削除予定画像を表示する請求項２に記載の電子アルバム装置。
【請求項４】
前記問い合わせ部は、前記第１評価値が予め設定された第１範囲内の前記削除予定画像、または前記第２評価値が予め設定された第２範囲内の前記削除予定画像のみを前記リストに表示する請求項３に記載の電子アルバム装置。
【請求項５】
前記問い合わせ部は、前記リストにおいて、前記第１評価値または前記第２評価値の大小が識別可能な表示形態で前記削除予定画像を表示する請求項４に記載の電子アルバム装置。
【請求項６】
前記問い合わせ部は、前記リストにおいて、全ての前記削除予定画像を表示し、かつ前記第１評価値または前記第２評価値の大小が識別可能な表示形態で前記削除予定画像を表示する請求項３に記載の電子アルバム装置。
【請求項７】
前記第１評価値または前記第２評価値は、前記削除予定画像の画質、前記削除予定画像に映る被写体、前記削除予定画像の撮影日時、前記削除予定画像の撮影場所のうちの少なくともいずれか１つに基づいて導出されたものである請求項３ないし６のいずれか１項に記載の電子アルバム装置。
【請求項８】
前記画面生成部は、前記画像を表示する画像表示セルであり、予めサイズが規定された単位セルを基準として、前記単位セルの正の整数倍に大きさが変化する画像表示セルをグリッド状に配列した前記アルバムページを生成する請求項１ないし７のいずれか１項に記載の電子アルバム装置。
【請求項９】
前記拡大領域は、前記単位セルの正の整数倍の大きさの領域である請求項８に記載の電子アルバム装置。
【請求項１０】
複数の画像が配されたアルバムページを含み、タッチパネルディスプレイに表示されるアルバム画面を生成する画面生成ステップと、
前記タッチパネルディスプレイへのジェスチャ指示を受け付ける指示受付ステップであり、前記ジェスチャ指示として、前記アルバムページ内で前記画像を拡大表示する拡大指示を受け付ける指示受付ステップと、
前記拡大指示された前記画像である拡大対象画像を認識する認識ステップと、
前記認識ステップで認識された前記拡大対象画像を拡大する拡大処理と、前記拡大対象画像とは別の前記画像であって、前記拡大対象画像の拡大後の領域である拡大領域に重なる前記画像を前記アルバムページから削除する削除処理とを含むアルバム編集処理を実行するアルバム編集ステップと、
前記削除処理を実行する前に、前記拡大領域に重なる前記画像であって前記アルバムページから削除する予定の前記画像である削除予定画像に対して、前記削除処理を実行してよいか否かを問い合わせる問い合わせステップとを備え、
前記指示受付ステップでは、
前記アルバムページ内を１本の指でなぞるスワイプ操作が行われた場合に、前記スワイプ操作の始点となる画像を前記拡大対象画像とした前記拡大指示を受け付けるとともに、
前記スワイプ操作において指でなぞられた軌跡上に存在する画像の表示領域を繋げた連結領域、または、前記連結領域により囲まれた領域を、前記拡大領域として受け付ける、電子アルバム装置の作動方法。
【請求項１１】
複数の画像が配されたアルバムページを含み、タッチパネルディスプレイに表示されるアルバム画面を生成する画面生成機能と、
前記タッチパネルディスプレイへのジェスチャ指示を受け付ける指示受付機能であり、前記ジェスチャ指示として、前記アルバムページ内で前記画像を拡大表示する拡大指示を受け付ける指示受付機能と、
前記拡大指示された前記画像である拡大対象画像を認識する認識機能と、
前記認識機能で認識された前記拡大対象画像を拡大する拡大処理と、前記拡大対象画像とは別の前記画像であって、前記拡大対象画像の拡大後の領域である拡大領域に重なる前記画像を前記アルバムページから削除する削除処理とを含むアルバム編集処理を実行するアルバム編集機能と、
前記削除処理を実行する前に、前記拡大領域に重なる前記画像であって前記アルバムページから削除する予定の前記画像である削除予定画像に対して、前記削除処理を実行してよいか否かを問い合わせる問い合わせ機能とを、コンピュータに実行させ、
前記指示受付機能は、
前記アルバムページ内を１本の指でなぞるスワイプ操作が行われた場合に、前記スワイプ操作の始点となる画像を前記拡大対象画像とした前記拡大指示を受け付ける機能であるとともに、
前記スワイプ操作において指でなぞられた軌跡上に存在する画像の表示領域を繋げた連結領域、または、前記連結領域により囲まれた領域を、前記拡大領域として受け付ける機能である、電子アルバム装置の作動プログラム。
【請求項１２】
複数の画像が配されたアルバムページを含み、タッチパネルディスプレイに表示されるアルバム画面を生成する画面生成部と、
前記タッチパネルディスプレイへのジェスチャ指示を受け付ける指示受付部であり、前記ジェスチャ指示として、前記アルバムページ内で前記画像を拡大表示する拡大指示を受け付ける指示受付部と、
前記拡大指示された前記画像である拡大対象画像を認識する認識部と、
前記認識部で認識された前記拡大対象画像を拡大する拡大処理と、前記拡大対象画像とは別の前記画像であって、前記拡大対象画像の拡大後の領域である拡大領域に重なる前記画像を前記アルバムページから削除する削除処理とを含むアルバム編集処理を実行するアルバム編集部と、
前記削除処理を実行する前に、前記拡大領域に重なる前記画像であって前記アルバムページから削除する予定の前記画像である削除予定画像に対して、前記削除処理を実行してよいか否かを問い合わせる問い合わせ部とを備え、
前記問い合わせ部は、前記アルバム画面に前記削除予定画像のリストを表示し、前記リストを通じて、前記削除処理を実行せずに前記アルバムページに残す前記削除予定画像を選択する第１選択指示、または前記削除処理を実行して前記アルバムページから削除する前記削除予定画像を選択する第２選択指示を受け付け、
前記削除予定画像について、前記削除処理を実行すべきものかを表す第１評価値、または前記削除処理を実行せずに前記アルバムページに残すべきものかを表す第２評価値を取得する取得部を備え、
前記問い合わせ部は、前記リストにおいて、前記第１評価値または前記第２評価値に応じた表示形態で前記削除予定画像を表示し、
前記問い合わせ部は、前記第１評価値が予め設定された第１範囲内の前記削除予定画像、または前記第２評価値が予め設定された第２範囲内の前記削除予定画像のみを前記リストに表示し、
前記問い合わせ部は、前記リストにおいて、前記第１評価値または前記第２評価値の大小が識別可能な表示形態で前記削除予定画像を表示する電子アルバム装置。
【請求項１３】
前記問い合わせ部は、前記リストにおいて、全ての前記削除予定画像を表示し、かつ前記第１評価値または前記第２評価値の大小が識別可能な表示形態で前記削除予定画像を表示する、請求項１２に記載の電子アルバム装置。
【請求項１４】
複数の画像が配されたアルバムページを含み、タッチパネルディスプレイに表示されるアルバム画面を生成する画面生成ステップと、
前記タッチパネルディスプレイへのジェスチャ指示を受け付ける指示受付ステップであり、前記ジェスチャ指示として、前記アルバムページ内で前記画像を拡大表示する拡大指示を受け付ける指示受付ステップと、
前記拡大指示された前記画像である拡大対象画像を認識する認識ステップと、
前記認識ステップで認識された前記拡大対象画像を拡大する拡大処理と、前記拡大対象画像とは別の前記画像であって、前記拡大対象画像の拡大後の領域である拡大領域に重なる前記画像を前記アルバムページから削除する削除処理とを含むアルバム編集処理を実行するアルバム編集ステップと、
前記削除処理を実行する前に、前記拡大領域に重なる前記画像であって前記アルバムページから削除する予定の前記画像である削除予定画像に対して、前記削除処理を実行してよいか否かを問い合わせる問い合わせステップとを備え、
前記問い合わせステップでは、前記アルバム画面に前記削除予定画像のリストを表示し、前記リストを通じて、前記削除処理を実行せずに前記アルバムページに残す前記削除予定画像を選択する第１選択指示、または前記削除処理を実行して前記アルバムページから削除する前記削除予定画像を選択する第２選択指示を受け付け、
前記削除予定画像について、前記削除処理を実行すべきものかを表す第１評価値、または前記削除処理を実行せずに前記アルバムページに残すべきものかを表す第２評価値を取得する取得ステップを備え、
前記問い合わせステップでは、前記リストにおいて、前記第１評価値または前記第２評価値に応じた表示形態で前記削除予定画像を表示し、
前記問い合わせステップでは、前記第１評価値が予め設定された第１範囲内の前記削除予定画像、または前記第２評価値が予め設定された第２範囲内の前記削除予定画像のみを前記リストに表示し、
前記問い合わせステップでは、前記リストにおいて、前記第１評価値または前記第２評価値の大小が識別可能な表示形態で前記削除予定画像を表示する電子アルバム装置の作動方法。
【請求項１５】
前記問い合わせステップでは、前記リストにおいて、全ての前記削除予定画像を表示し、かつ前記第１評価値または前記第２評価値の大小が識別可能な表示形態で前記削除予定画像を表示する、請求項１４に記載の電子アルバム装置の作動方法。
【請求項１６】
複数の画像が配されたアルバムページを含み、タッチパネルディスプレイに表示されるアルバム画面を生成する画面生成機能と、
前記タッチパネルディスプレイへのジェスチャ指示を受け付ける指示受付機能であり、前記ジェスチャ指示として、前記アルバムページ内で前記画像を拡大表示する拡大指示を受け付ける指示受付機能と、
前記拡大指示された前記画像である拡大対象画像を認識する認識機能と、
前記認識機能で認識された前記拡大対象画像を拡大する拡大処理と、前記拡大対象画像とは別の前記画像であって、前記拡大対象画像の拡大後の領域である拡大領域に重なる前記画像を前記アルバムページから削除する削除処理とを含むアルバム編集処理を実行するアルバム編集機能と、
前記削除処理を実行する前に、前記拡大領域に重なる前記画像であって前記アルバムページから削除する予定の前記画像である削除予定画像に対して、前記削除処理を実行してよいか否かを問い合わせる問い合わせ機能とを、コンピュータに実行させ、
前記問い合わせ機能は、前記アルバム画面に前記削除予定画像のリストを表示し、前記リストを通じて、前記削除処理を実行せずに前記アルバムページに残す前記削除予定画像を選択する第１選択指示、または前記削除処理を実行して前記アルバムページから削除する前記削除予定画像を選択する第２選択指示を受け付ける機能を有し、
前記削除予定画像について、前記削除処理を実行すべきものかを表す第１評価値、または前記削除処理を実行せずに前記アルバムページに残すべきものかを表す第２評価値を取得する取得機能を備え、
前記問い合わせ機能は、前記リストにおいて、前記第１評価値または前記第２評価値に応じた表示形態で前記削除予定画像を表示する機能を有し、
前記問い合わせ機能は、前記第１評価値が予め設定された第１範囲内の前記削除予定画像、または前記第２評価値が予め設定された第２範囲内の前記削除予定画像のみを前記リストに表示する機能を有し、
前記問い合わせ機能は、前記リストにおいて、前記第１評価値または前記第２評価値の大小が識別可能な表示形態で前記削除予定画像を表示する機能を有する電子アルバム装置の作動プログラム。
【請求項１７】
前記問い合わせ機能は、前記リストにおいて、全ての前記削除予定画像を表示し、かつ前記第１評価値または前記第２評価値の大小が識別可能な表示形態で前記削除予定画像を表示する機能を有する、請求項１６に記載の電子アルバム装置の作動プログラム。
【発明の詳細な説明】
【技術分野】
【０００１】
本発明は、電子アルバム装置とその作動方法および作動プログラムに関する。
【背景技術】
【０００２】
ユーザの趣向に沿って複数の画像が配されたアルバムページを含み、タッチパネルディスプレイ（以下、タッチパネルと略す）に表示されるアルバム画面を生成する電子アルバム装置が普及している（特許文献１参照）。特許文献１の明細書段落［０２６４］および図２１には、ユーザからの拡大指示に応じて、拡大指示された画像（以下、拡大対象画像という）をアルバムページ内で拡大表示することが記載されている。
【先行技術文献】
【特許文献】
【０００３】
【特許文献１】特開２０１７−１１７４７９号公報
【発明の概要】
【発明が解決しようとする課題】
【０００４】
例えば連写撮影等、同じ撮影場所で何枚も連続して撮影した一連の画像は、表示内容が類似している。こうした一連の画像のうちの１つを拡大対象画像とした場合には、拡大対象画像以外の表示内容が類似する画像はアルバムページから削除したほうが、見た目がすっきりするため好ましい。【０００５】
そこで本発明者は、拡大対象画像の拡大後の領域である拡大領域に重なる画像をアルバムページから削除する電子アルバム装置を検討している。しかしながら、この場合、ユーザに何の断りもなく画像を削除してしまうと、画像の拡大表示のみを意図して拡大指示をしたユーザが戸惑うおそれがあった。【０００６】
本発明は、ユーザフレンドリーな電子アルバム装置とその作動方法および作動プログラムを提供することを目的とする。
【課題を解決するための手段】
【０００７】
上記目的を達成するために、本発明の電子アルバム装置は、複数の画像が配されたアルバムページを含み、タッチパネルディスプレイに表示されるアルバム画面を生成する画面生成部と、タッチパネルディスプレイへのジェスチャ指示を受け付ける指示受付部であり、ジェスチャ指示として、アルバムページ内で画像を拡大表示する拡大指示を受け付ける指示受付部と、拡大指示された画像である拡大対象画像を認識する認識部と、認識部で認識された拡大対象画像を拡大する拡大処理と、拡大対象画像とは別の画像であって、拡大対象画像の拡大後の領域である拡大領域に重なる画像をアルバムページから削除する削除処理とを含むアルバム編集処理を実行するアルバム編集部と、削除処理を実行する前に、拡大領域に重なる画像であってアルバムページから削除する予定の画像である削除予定画像に対して、削除処理を実行してよいか否かを問い合わせる問い合わせ部とを備える。【０００８】
問い合わせ部は、アルバム画面に削除予定画像のリストを表示し、リストを通じて、削除処理を実行せずにアルバムページに残す削除予定画像を選択する第１選択指示、または削除処理を実行してアルバムページから削除する削除予定画像を選択する第２選択指示を受け付けることが好ましい。【０００９】
削除予定画像について、削除処理を実行すべきものかを表す第１評価値、または削除処理を実行せずにアルバムページに残すべきものかを表す第２評価値を取得する取得部を備え、問い合わせ部は、リストにおいて、第１評価値または第２評価値に応じた表示形態で削除予定画像を表示することが好ましい。【００１０】
問い合わせ部は、第１評価値が予め設定された第１範囲内の削除予定画像、または第２評価値が予め設定された第２範囲内の削除予定画像のみをリストに表示することが好ましい。【００１１】
問い合わせ部は、リストにおいて、第１評価値または第２評価値の大小が識別可能な表示形態で削除予定画像を表示することが好ましい。【００１２】
問い合わせ部は、リストにおいて、全ての削除予定画像を表示し、かつ第１評価値または第２評価値の大小が識別可能な表示形態で削除予定画像を表示することが好ましい。【００１３】
第１評価値または第２評価値は、削除予定画像の画質、削除予定画像に映る被写体、削除予定画像の撮影日時、削除予定画像の撮影場所のうちの少なくともいずれか１つに基づいて導出されたものであることが好ましい。【００１４】
画面生成部は、画像を表示する画像表示セルであり、予めサイズが規定された単位セルを基準として、単位セルの正の整数倍に大きさが変化する画像表示セルをグリッド状に配列したアルバムページを生成することが好ましい。【００１５】
拡大領域は、単位セルの正の整数倍の大きさの領域であることが好ましい。【００１６】
指示受付部は、拡大対象画像を始点として、拡大領域に沿ってアルバムページ内を１本の指でなぞるスワイプ指示を、拡大指示として受け付けることが好ましい。【００１７】
本発明の電子アルバム装置の作動方法は、複数の画像が配されたアルバムページを含み、タッチパネルディスプレイに表示されるアルバム画面を生成する画面生成ステップと、タッチパネルディスプレイへのジェスチャ指示を受け付ける指示受付ステップであり、ジェスチャ指示として、アルバムページ内で画像を拡大表示する拡大指示を受け付ける指示受付ステップと、拡大指示された画像である拡大対象画像を認識する認識ステップと、認識ステップで認識された拡大対象画像を拡大する拡大処理と、拡大対象画像とは別の画像であって、拡大対象画像の拡大後の領域である拡大領域に重なる画像をアルバムページから削除する削除処理とを含むアルバム編集処理を実行するアルバム編集ステップと、削除処理を実行する前に、拡大領域に重なる画像であってアルバムページから削除する予定の画像である削除予定画像に対して、削除処理を実行してよいか否かを問い合わせる問い合わせステップとを備える。【００１８】
本発明の電子アルバム装置の作動プログラムは、複数の画像が配されたアルバムページを含み、タッチパネルディスプレイに表示されるアルバム画面を生成する画面生成機能と、タッチパネルディスプレイへのジェスチャ指示を受け付ける指示受付機能であり、ジェスチャ指示として、アルバムページ内で画像を拡大表示する拡大指示を受け付ける指示受付機能と、拡大指示された画像である拡大対象画像を認識する認識機能と、認識機能で認識された拡大対象画像を拡大する拡大処理と、拡大対象画像とは別の画像であって、拡大対象画像の拡大後の領域である拡大領域に重なる画像をアルバムページから削除する削除処理とを含むアルバム編集処理を実行するアルバム編集機能と、削除処理を実行する前に、拡大領域に重なる画像であってアルバムページから削除する予定の画像である削除予定画像に対して、削除処理を実行してよいか否かを問い合わせる問い合わせ機能とを、コンピュータに実行させる。
【発明の効果】
【００１９】
本発明は、拡大対象画像の拡大領域に重なる削除予定画像をアルバムページから削除する削除処理を実行する前に、削除処理を実行してよいか否かを問い合わせるので、ユーザフレンドリーな電子アルバム装置とその作動方法および作動プログラムを提供することができる。
【図面の簡単な説明】
【００２０】
【図１】電子アルバム装置として機能するスマートフォンと、そのタッチパネルに表示されるアルバム画面を示す図である。
【図２】スマートフォンを構成するコンピュータのブロック図である。
【図３】スマートフォンのストレージデバイスおよびＣＰＵのブロック図である。
【図４】アルバムページに画像を配する処理の説明図である。
【図５】トリミング位置調整画面を示す図である。
【図６】画像のトリミング位置を調整する様子を示す図であり、図６Ａは調整前、図６Ｂは調整後をそれぞれ示す。
【図７】拡大指示の様子を示す図である。
【図８】アルバムページの一部を抜粋した図であり、図８Ａは拡大処理前、図８Ｂは拡大処理後をそれぞれ示す。
【図９】拡大処理の説明図である。
【図１０】アルバム画面に削除予定画像リストを表示した状態を示す図である。
【図１１】アルバムページの一部を抜粋した図であり、図１１Ａは拡大処理前、図１１Ｂは拡大処理後をそれぞれ示す。
【図１２】アルバム画面に削除画像リストを表示した状態を示す図である。
【図１３】削除画像リストの削除画像をアルバムページにドラッグ＆ドロップする様子を示す図である。
【図１４】アルバム管理情報を示す図である。
【図１５】画像表示セルに画像ＩＤおよびアドレス情報を記したアルバム画面を示す図である。
【図１６】列方向に沿って直線状に指を移動させる拡大指示に応じて、列方向に単位セルが繋げられて拡大表示がなされる例を示す図であり、図１６Ａは拡大処理前、図１６Ｂは拡大処理後をそれぞれ示す。
【図１７】複数行および複数列にわたって指を移動させる拡大指示に応じて、複数行および複数列にわたって単位セルが繋げられて拡大表示がなされる例を示す図であり、図１７Ａは拡大処理前、図１７Ｂは拡大処理後をそれぞれ示す。
【図１８】アルバムページ内で拡大指示および拡大表示が複数回行われる例を示す図であり、図１８Ａは拡大処理前、図１８Ｂは拡大処理後をそれぞれ示す。
【図１９】拡大後画像を拡大対象画像に指定する例を示す図であり、図１９Ａは拡大処理前、図１９Ｂは拡大処理後をそれぞれ示す。
【図２０】画像表示セルを指で環状になぞった場合の例を示す図であり、図２０Ａは拡大処理前、図２０Ｂは拡大処理後をそれぞれ示す。
【図２１】画像表示セルを指で環状になぞった場合の別の例を示す図であり、図２１Ａは拡大処理前、図２１Ｂは拡大処理後をそれぞれ示す。
【図２２】電子アルバム装置として機能するスマートフォンの処理手順を示すフローチャートである。
【図２３】削除予定画像リストの別の例を示す図である。
【図２４】第２実施形態のスマートフォンのストレージデバイスおよびＣＰＵのブロック図である。
【図２５】導出部と取得部の機能を説明するための図である。
【図２６】削除予定画像情報を示す図である。
【図２７】第１評価値および第１範囲に基づいて、問い合わせ部が各削除予定画像を削除予定画像リストに表示するか否かを決定する様子を示す図である。
【図２８】第１評価値が第１範囲内の削除予定画像のみを表示した削除予定画像リストを示す図である。
【図２９】第１評価値の大小が識別可能な表示形態で削除予定画像を表示した削除予定画像リストを示す図である。
【図３０】第１評価値および第１範囲に基づいて、問い合わせ部が各削除予定画像を削除予定画像リストに表示するか否かを決定する様子の別の例を示す図である。
【図３１】第１評価値が第１範囲内の削除予定画像のみを表示した削除予定画像リストの別の例を示す図である。
【図３２】全ての削除予定画像を表示し、かつ第１評価値が低い削除予定画像の画像表示セルほどサイズを大きく表示した削除予定画像リストを示す図である。
【図３３】全ての削除予定画像を表示し、かつ第１評価値が高い削除予定画像の画像表示セルほどサイズを大きく表示した削除予定画像リストを示す図である。
【図３４】第２評価値および第２範囲に基づいて、問い合わせ部が各削除予定画像を削除予定画像リストに表示するか否かを決定する様子を示す図である。
【図３５】拡大処理のアンドゥの対象の拡大後画像の画像表示セルが非表示部分に存在していた場合を示す図であり、図３５Ａはアンドゥ前、図３５Ｂはアンドゥ後をそれぞれ示す。
【図３６】拡大処理のアンドゥの対象の拡大後画像の画像表示セルが非表示部分に存在していた場合を示す図であり、図３６Ａはアンドゥ前、図３６Ｂはアンドゥ後をそれぞれ示す。
【図３７】削除画像の画像表示セルが削除画像リスト表示ボタンに放り込まれるようなアニメーションを表示する様子を示す図である。
【図３８】拡大対象画像の画像表示セルへの渦巻状のジェスチャ指示を拡大指示として受け付ける態様を示す図であり、図３８Ａは拡大処理前、図３８Ｂは拡大処理後をそれぞれ示す。
【発明を実施するための形態】
【００２１】
［第１実施形態］
図１において、本発明の電子アルバム装置に相当するスマートフォン１０は、ユーザ１１が持ち歩いて使用する携帯情報端末の一種である。スマートフォン１０は、周知のように、携帯電話やデジタルカメラとして機能する。
【００２２】
また、スマートフォン１０は、各種のアプリケーションプログラム（以下、アプリと略す）を実行するコンピュータとしても機能する。スマートフォン１０には、アプリの１つとして、本発明の電子アルバム装置の作動プログラムに相当する電子アルバムアプリ３０（図３参照）がインストールされている。電子アルバムアプリ３０が起動されることにより、コンピュータであるスマートフォン１０は電子アルバム装置として機能する。電子アルバムアプリ３０は、スマートフォン１０で撮影した写真やウェブサイトから取り込んだ写真等の画像ＩＭをユーザ１１が閲覧し、ユーザ１１の趣向に沿って複数の画像ＩＭを配した電子アルバムを作成するためのアプリである。
【００２３】
画像ＩＭには、画像ＩＭを構成するデータのＥｘｉｆ（Exchangeable Image File Format）領域に、撮影日時、撮影場所（ＧＰＳ（Global Positioning System）の経緯度、高度情報）といった様々な付帯情報が、各画像ＩＭを識別するための画像ＩＤ（Identification Data）とともに関連付けて記憶されている。
【００２４】
電子アルバムアプリ３０はアルバム画面１２を生成し、生成したアルバム画面１２を、スマートフォン１０の前面に設けられたタッチパネル１３に表示する。アルバム画面１２は、複数の画像ＩＭが配されたアルバムページ１４を含む。
【００２５】
アルバム画面１２の上部には、アンドゥボタン１５および削除画像リスト表示ボタン１６が設けられている。アンドゥボタン１５は、画像ＩＭを拡大する拡大処理を元に戻すためのボタンである。削除画像リスト表示ボタン１６は、アルバムページ１４から削除された画像ＩＭである削除画像ＩＭＤ（図１２参照）のリスト（以下、削除画像リストという）６０（図１２参照）を表示するためのボタンである。削除画像リスト表示ボタン１６は、削除画像ＩＭＤが無造作に放り込まれる段ボール箱のような外観をしている。
【００２６】
アルバムページ１４には、画像表示セルＣＥがグリッド状に配列されている。画像表示セルＣＥは、１コマ分の画像ＩＭを表示する矩形状の枠である。図１に示す初期状態では、各画像表示セルＣＥは、アルバムページ１４の行方向（横方向）に隙間１７を空けて４個並べることが可能な横幅をもつ正方形状の枠である。この正方形状の枠の画像表示セルＣＥが画像表示セルＣＥの最小単位であり、予めサイズが規定された単位セルＵＣＥに相当する。詳しくは後述するように、画像表示セルＣＥは、単位セルＵＣＥの正の整数（１、２、３、４、・・・）倍に大きさが変化する。
【００２７】
なお、初期状態において全ての画像表示セルＣＥが単位セルＵＣＥでなくてもよい。例えば、画像ＩＭに対するユーザ１１の評価が付帯情報として記憶されている場合、評価が閾値よりも高い画像ＩＭに自動的に拡大処理を施して、当該画像ＩＭの画像表示セルＣＥを、初期状態から単位セルＵＣＥの複数倍（例えば２行×２列の４倍等）としてもよい。あるいは、第２実施形態等で後述する、画像ＩＭの画質に基づく評価値が閾値よりも高い画像ＩＭに、同様の処理を施してもよい。
【００２８】
各画像表示セルＣＥは、列方向（縦方向）においても隙間１７を空けて並べられている。上述の「画像表示セルＣＥがグリッド状に配列」とは、各画像表示セルＣＥを隔てる隙間１７がアルバムページ１４の行方向および列方向に延びていて、各画像表示セルＣＥがグリッドの桝目を構成している形態を意味する。
【００２９】
電子アルバムアプリ３０では、ユーザ１１の指Ｆ（例えば人差し指、図６参照）によるタッチパネル１３へのジェスチャ指示に応じて、画像ＩＭを拡大表示したりすることが可能である。ユーザ１１は、ジェスチャ指示を通じて電子アルバムアプリ３０に所望のアルバム編集処理を実行させる。
【００３０】
図２において、スマートフォン１０は、前述のタッチパネル１３の他に、ストレージデバイス２０、メモリ２１、ＣＰＵ（Central Processing Unit）２２、および通信部２３を備えている。これらはデータバス２４を介して相互接続されている。
【００３１】
タッチパネル１３は、液晶ディスプレイ、有機ＥＬ（Electroluminescence）ディスプレイ等の薄い平面状のディスプレイ２５と、ディスプレイ２５上に配置される、これも薄い平面状のタッチパッド２６とで構成される。ディスプレイ２５にはアルバム画面１２を含む各種画面が表示される。タッチパッド２６はユーザ１１の指Ｆの接触を検知し、ジェスチャ指示を認識する。
【００３２】
ストレージデバイス２０は、フラッシュメモリやＳＳＤ（Solid State Drive）等の不揮発性の半導体メモリである。ストレージデバイス２０には、オペレーティングシステム等の制御プログラムや電子アルバムアプリ３０を含む各種アプリ、およびこれらのプログラムに付随する各種画面のＧＵＩ（Graphical User Interface）データ等が記憶されている。アプリには、スマートフォン１０にプリインストールされているものの他、電子アルバムアプリ３０のように、移動体通信網やインターネット等のネットワーク２７を通じて、ユーザ１１が任意でアプリ配信サーバからスマートフォン１０にダウンロードしてインストールしたものも含まれる。
【００３３】
メモリ２１は、ＣＰＵ２２が処理を実行するためのワークメモリであり、ＲＡＭ（Random Access Memory）で構成される。ＣＰＵ２２は、ストレージデバイス２０に記憶されたプログラムをメモリ２１へロードして、プログラムにしたがった処理を実行することにより、スマートフォン１０の各部を統括的に制御する。
【００３４】
通信部２３は、無線通信用のインタフェースであり、無線通信に関わる伝送制御を行う。無線通信用のインタフェースには、移動体通信網に接続するモバイル通信インタフェース、無線ルータに接続するＩＥＥＥ（The Institute of Electrical and Electronics Engineers,Inc.）８０２．１１シリーズの無線ＬＡＮ（Local Area Network）規格のインタフェース、赤外線等を使用する近距離無線通信用のインタフェース等が含まれる。スマートフォン１０は、この通信部２３を介してネットワーク２７に接続する。
【００３５】
図３において、ストレージデバイス２０には、電子アルバムアプリ３０、および電子アルバムアプリ３０が生成するアルバム管理情報３１が格納されている。また、ストレージデバイス２０は、画像ＩＤおよび付帯情報とともに画像ＩＭが格納される画像格納部３２を有している。
【００３６】
電子アルバムアプリ３０が起動されると、ＣＰＵ２２は、指示受付部３５およびアルバム編集部３６として機能する。アルバム編集部３６は、画面生成部４０、拡大処理部４１、削除処理部４２、および問い合わせ部４３を備えている。
【００３７】
指示受付部３５は、タッチパッド２６を介して入力されるジェスチャ指示を受け付ける指示受付機能を担う。指示受付部３５は、受け付けたジェスチャ指示に関する情報をアルバム編集部３６に出力する。ジェスチャ指示は、主として電子アルバムの編集に関わるものであり、アルバムページ１４内で画像ＩＭを拡大表示する拡大指示等を含む。
【００３８】
アルバム編集部３６は、指示受付部３５からのジェスチャ指示に関する情報に応じて、各種のアルバム編集処理を実行するアルバム編集機能を担う。
【００３９】
画面生成部４０は、アルバム画面１２を生成する画面生成機能を担う。画面生成部４０は、生成したアルバム画面１２をディスプレイ２５に出力する。
【００４０】
拡大処理部４１は、アルバム編集処理として、拡大指示された画像ＩＭである拡大対象画像ＩＭＴ（図７参照）を拡大する拡大処理を実行する。削除処理部４２は、アルバム編集処理として、画像ＩＭをアルバムページ１４から削除する削除処理を実行する。
【００４１】
ここで、削除処理の対象となる画像ＩＭは、拡大対象画像ＩＭＴとは別の画像ＩＭであって、拡大対象画像ＩＭＴの拡大後の領域である拡大領域ＥＲ（図７参照）に重なる画像ＩＭである。以下、この拡大領域ＥＲに重なる画像ＩＭであってアルバムページ１４から削除する予定の画像ＩＭを、削除予定画像ＩＭＰ（図７参照）と表現する。また、拡大処理部４１で拡大処理が実行された拡大対象画像ＩＭＴを拡大後画像ＩＭＥ（図８参照）と表現する。
【００４２】
問い合わせ部４３は、削除予定画像ＩＭＰに対して、削除処理を実行してよいか否かを問い合わせる問い合わせ機能を担う。
【００４３】
画面生成部４０は、アルバム画面１２の出力に先立ち、アルバムページ１４に配する画像ＩＭの属性に関する指定を受け付ける受付画面（図示せず）をディスプレイ２５に出力する。この受付画面において特にユーザ１１から指定がない場合、アルバム編集部３６は、全ての画像ＩＭを画像格納部３２から読み出す。そして、読み出した全ての画像ＩＭをアルバムページ１４に配する。一方、受付画面において、ユーザ１１から、属性として、例えば特定の撮影日時や撮影場所の指定があった場合は、アルバム編集部３６は、指定された撮影日時や撮影場所で撮影した画像ＩＭを画像格納部３２から検索し、検索した画像ＩＭをアルバムページ１４に配する。
【００４４】
アルバム編集部３６は、属性に基づく表示順序にしたがって、アルバムページ１４に画像ＩＭを配する。例えば撮影日時が古い画像ＩＭから新しい画像ＩＭの順に、アルバムページ１４の上から下、および左から右に配する。この場合、アルバムページ１４の一番上の行の左端の画像表示セルＣＥに表示された画像ＩＭが最も撮影日時が古いもので、アルバムページ１４の一番下の行の右端の画像表示セルＣＥに表示された画像ＩＭが最も撮影日時が新しいものとなる。
【００４５】
撮影日時がＥｘｉｆ領域に記録されていなかった場合は、撮影日時の代わりに、画像ＩＭのデータファイルの作成日時を用いてもよい。また、撮影日時がＥｘｉｆ領域に記録されておらず、かつ画像ＩＭがウェブサイトから取り込んだものであった場合は、撮影日時の代わりに、画像ＩＭをウェブサイトから取り込んだ日時を用いてもよい。さらに、撮影日時がＥｘｉｆ領域に記録されていなかった場合、Ｅｘｉｆ領域の撮影日時を記録する領域に、画像ＩＭのデータファイルの作成日時、あるいは画像ＩＭをウェブサイトから取り込んだ日時を記録してもよい。
【００４６】
図４に示すように、アルバム編集部３６は、アルバムページ１４に画像ＩＭを配する際に、画像表示セルＣＥの形状に合わせて画像ＩＭをトリミングする。図４の例では、画像表示セルＣＥは単位セルＵＣＥであり、正方形状の枠である。対して画像ＩＭは、アスペクト比が１６対９の長方形状である。
【００４７】
アルバム編集部３６は、まず、ステップＳＴ１に示すように、画像ＩＭのサイズを縮小して、画像表示セルＣＥの一辺の長さと画像ＩＭの列方向の長さを一致させる。次いでステップＳＴ２に示すように、縮小した画像ＩＭの中心部分に画像表示セルＣＥを宛がう。続けてステップＳＴ３に示すように、画像表示セルＣＥが宛がわれた中心部分以外の画像ＩＭの左右両端（ハッチングで示す）をトリミングする。最後にステップＳＴ４に示すように、トリミング済みの画像ＩＭを表示した画像表示セルＣＥを、表示順序に応じたアルバムページ１４の位置に配する。アルバム編集部３６は、ステップＳＴ１〜ＳＴ４で示した一連の処理を、アルバムページ１４に配する画像ＩＭの個数分繰り返し行う。
【００４８】
アルバムページ１４において画像表示セルＣＥを２回連続して指Ｆで叩くジェスチャ指示（ダブルタップ指示）がなされた場合、アルバム編集部３６は、図５に示すトリミング位置調整画面４５をディスプレイ２５に表示させる。トリミング位置調整画面４５には、ダブルタップ指示で選択された画像表示セルＣＥとその画像ＩＭが表示され、その下部にはキャンセルボタン４６およびチェックボタン４７が設けられている。
【００４９】
図６に示すように、トリミング位置調整画面４５では、画像ＩＭのトリミング位置を調整することが可能である。具体的には図６Ａに示すように、トリミング位置調整画面４５内の画像ＩＭに指Ｆが触れられて、指Ｆが所望の方向（ここでは右方向）に移動されるジェスチャ指示がなされた場合、図６Ｂに示すように、画像表示セルＣＥは固定で、画像ＩＭが指Ｆの移動方向に移動される。こうして画像ＩＭのトリミング位置が調整される。
【００５０】
画像ＩＭのトリミング位置の調整後、チェックボタン４７が選択された場合、トリミング位置調整画面４５の表示が消え、トリミング位置調整済みの画像ＩＭが配されたアルバムページ１４が表示される。キャンセルボタン４６が選択された場合は、画像ＩＭのトリミング位置が調整されることなくトリミング位置調整画面４５の表示が消える。なお、このトリミング位置調整画面４５によるトリミング位置の調整は、単位セルＵＣＥに表示された画像ＩＭだけでなく、拡大後画像ＩＭＥについても行うことが可能である。
【００５１】
図７において、拡大指示は、拡大対象画像ＩＭＴを始点として、アルバムページ１４内をユーザ１１の１本の指Ｆでなぞるスワイプ指示である。より詳しくは、拡大指示は、まず、拡大対象画像ＩＭＴに指Ｆを所定時間（例えば２秒）触れて拡大対象画像ＩＭＴを選択するジェスチャ指示から始まる。次いで、拡大対象画像ＩＭＴに触れた指Ｆを、ユーザ１１が拡大対象画像ＩＭＴを拡大したいと考える拡大領域ＥＲに沿って移動させるジェスチャ指示がなされる。最後に、拡大領域ＥＲの終点から指Ｆを離すジェスチャ指示がなされる。
【００５２】
拡大領域ＥＲは、スワイプ指示の指Ｆの始点である拡大対象画像ＩＭＴの画像表示セルＣＥから、スワイプ指示の最後に指Ｆを離した終点の画像表示セルＣＥまで、指Ｆでなぞった軌跡ＴＲに重なる画像表示セルＣＥを、隙間１７もろとも繋げた領域である。前述のように、画像表示セルＣＥは、単位セルＵＣＥを基準とする。このため、指Ｆでなぞった軌跡ＴＲに重なる画像表示セルＣＥを繋げた拡大領域ＥＲは、単位セルＵＣＥの正の整数倍の大きさの領域であるといえる。なお、拡大領域ＥＲは、正確には、隙間１７の分、単位セルＵＣＥの正の整数倍よりも若干大きくなるが、隙間１７は極めて狭いとして無視する。
【００５３】
指示受付部３５は、上述のようなスワイプ指示を、拡大指示として受け付ける。指示受付部３５は、拡大指示に関する情報として、拡大対象画像ＩＭＴの位置情報、および拡大領域ＥＲの位置情報をアルバム編集部３６に出力する。
【００５４】
拡大対象画像ＩＭＴの位置情報は、アルバムページ１４内のどの画像表示セルＣＥの画像ＩＭが拡大対象画像ＩＭＴとして選択されたかを示す情報である。具体的には、拡大対象画像ＩＭＴの位置情報は、拡大対象画像ＩＭＴとして選択された画像ＩＭの画像表示セルＣＥが位置する行および列を示すアドレス情報である。拡大領域ＥＲの位置情報も同じく、指Ｆでなぞった軌跡ＴＲに重なる画像表示セルＣＥのアドレス情報である。
【００５５】
図７では、アルバムページ１４の上から３行目かつ左から２列目の画像表示セルＣＥの画像ＩＭが拡大対象画像ＩＭＴとして選択され、上から３行目かつ左から４列目の画像表示セルＣＥまでが拡大領域ＥＲに指定された様子を示している。この場合、拡大領域ＥＲに重なる画像ＩＭであってアルバムページ１４から削除する予定の画像ＩＭである削除予定画像ＩＭＰは、上から３行目かつ左から３列目の画像表示セルＣＥの画像ＩＭ、および上から３行目かつ左から４列目の画像表示セルＣＥの画像ＩＭである（図８Ａ参照）。
【００５６】
拡大処理部４１は、拡大対象画像ＩＭＴの位置情報に基づいて、拡大対象画像ＩＭＴがどの画像ＩＭかを認識する。すなわち、拡大処理部４１は、拡大対象画像ＩＭＴを認識する認識部に相当し、拡大対象画像ＩＭＴを認識する認識機能を担う。また、拡大処理部４１は、拡大領域ＥＲの位置情報に基づいて、拡大領域ＥＲが単位セルＵＣＥの何個分に相当し、かつ拡大領域ＥＲがどういった形状であるかを把握する。
【００５７】
図８Ａは、図７の例における拡大処理前の様子を、図８Ｂは拡大処理後の様子をそれぞれ示す。図８Ａでは、拡大対象画像ＩＭＴの画像表示セルＣＥは、正方形状の単位セルＵＣＥのままである。一方、図８Ｂでは、拡大処理後の拡大対象画像ＩＭＴ、すなわち拡大後画像ＩＭＥの画像表示セルＣＥ（拡大領域ＥＲ）は、単位セルＵＣＥ３個分であり、横長の長方形状となっている。図８Ｂにおいてアンドゥボタン１５が選択された場合は、図８Ａの拡大処理前の状態に戻される。なお、図８Ｂでは、全ての削除予定画像ＩＭＰに対して削除処理部４２で削除処理が実行され、全ての削除予定画像ＩＭＰがアルバムページ１４から削除された例を示している。
【００５８】
図９は、図７および図８の例における拡大処理の具体的な内容を示す。拡大処理部４１は、図４のステップＳＴ１に示したのと同様に、まず、ステップＳＴ１０に示すように、拡大対象画像ＩＭＴのサイズを拡大して、新たな画像表示セルＣＥである拡大領域ＥＲの行方向の長さと拡大対象画像ＩＭＴの行方向の長さを一致させ、拡大後画像ＩＭＥとする。すなわち、拡大処理部４１は、拡大対象画像ＩＭＴと認識した画像ＩＭのサイズを、単位セルＵＣＥの何個分に相当するかを把握した拡大領域ＥＲのサイズに合わせて拡大する。
【００５９】
次いで、図４のステップＳＴ２に示したのと同様に、ステップＳＴ２０に示すように、拡大後画像ＩＭＥの中心部分に画像表示セルＣＥ（拡大領域ＥＲ）を宛がう。続けて、図４のステップＳＴ３に示したのと同様に、ステップＳＴ３０に示すように、画像表示セルＣＥが宛がわれた中心部分以外の拡大後画像ＩＭＥの上下両端（ハッチングで示す）をトリミングする。最後に、図４のステップＳＴ４に示したのと同様に、ステップＳＴ４０に示すように、トリミング済みの拡大後画像ＩＭＥを表示した画像表示セルＣＥを、拡大領域ＥＲに対応するアルバムページ１４の位置に配する。
【００６０】
図１０に示すように、問い合わせ部４３は、削除処理部４２で削除処理を実行する前に、アルバム画面１２に削除予定画像ＩＭＰのリスト（以下、削除予定画像リストという）５０を表示する。削除予定画像リスト５０には、削除予定画像ＩＭＰの画像表示セルＣＥが表示される。本例のように削除予定画像ＩＭＰが複数ある場合は、問い合わせ部４３は、削除予定画像ＩＭＰの画像表示セルＣＥを、削除予定画像リスト５０に並べて表示する。表示順序は、アルバムページ１４と同じく、例えば撮影日時が古い画像ＩＭから新しい画像ＩＭの順に、上から下、および左から右である。削除予定画像リスト５０が表示されている間は、アルバムページ１４の画像ＩＭおよび画像表示セルＣＥは、破線で示すようにグレーアウトされる。
【００６１】
削除予定画像ＩＭＰの画像表示セルＣＥには、チェックボックス５１が設けられている。ユーザ１１が指Ｆで削除予定画像ＩＭＰの画像表示セルＣＥを選択するジェスチャ指示をした場合、当該画像表示セルＣＥはハッチングで示すように選択状態となり、チェックボックス５１にチェックマークが表示される。
【００６２】
削除予定画像リスト５０の上部には、拡大対象画像ＩＭＴの拡大表示に伴い、アルバムページ１４から削除予定画像ＩＭＰが削除される予定である旨と、削除処理を実行せずにアルバムページ１４に残す削除予定画像ＩＭＰを選択する旨、すなわち第１選択指示を促す旨のメッセージが表示される。また、削除予定画像リスト５０の下部には、残すボタン５２および全削除ボタン５３が表示される。削除予定画像リスト５０は、これら残すボタン５２または全削除ボタン５３が選択された場合に表示が消える。
【００６３】
アルバムページ１４に残したい削除予定画像ＩＭＰの画像表示セルＣＥが選択されて、残すボタン５２が選択された場合、第１選択指示が問い合わせ部４３で受け付けられる。すなわち、問い合わせ部４３は、削除予定画像リスト５０を通じて、削除処理を実行せずにアルバムページ１４に残す削除予定画像ＩＭＰを選択する第１選択指示を受け付ける。
【００６４】
一方、全削除ボタン５３が選択された場合、全ての削除予定画像ＩＭＰに削除処理を実行してアルバムページ１４から削除する全削除指示が問い合わせ部４３で受け付けられる。削除処理部４２は、この削除予定画像リスト５０を通じて問い合わせ部４３で第１選択指示を受け付けなかった削除予定画像ＩＭＰ、もしくは全削除指示を受け付けた場合は全ての削除予定画像ＩＭＰに対して、削除処理を実行する。反対に、削除処理部４２は、問い合わせ部４３で第１選択指示を受け付けた削除予定画像ＩＭＰに対しては、削除処理を実行しない。
【００６５】
図１０では、引き続き図７〜図９の例における削除予定画像リスト５０を表示している。削除予定画像リスト５０の左側には、アルバムページ１４の上から３行目かつ左から３列目の画像表示セルＣＥが、右側には、上から３行目かつ左から４列目の画像表示セルＣＥがそれぞれ配されている。そして、上から３行目かつ左から４列目の画像表示セルＣＥが選択された状態を示している。
【００６６】
図１１Ａは、図８Ａと同じく拡大処理前の様子を、図１１Ｂは、図１０に示す状態で残すボタン５２が選択された場合の拡大処理後の様子をそれぞれ示す。図１１Ｂにおいて、図１０で削除処理を実行せずにアルバムページ１４に残す削除予定画像ＩＭＰとして選択された、上から３行目かつ左から４列目の画像表示セルＣＥは、拡大後画像ＩＭＥの次の表示順序の位置に配される。
【００６７】
この上から３行目かつ左から４列目の画像表示セルＣＥの表示に伴い、拡大後画像ＩＭＥ以降の、削除予定画像ＩＭＰ以外の他の画像ＩＭの画像表示セルＣＥは、表示順序がずらされる。例えば、丁度上から３行目かつ左から４列目の画像表示セルＣＥの下に配されていた、上から４行目かつ左から４列目の画像表示セルＣＥは、拡大処理後、上から５行目かつ左から１列目に表示順序がずらされる。なお、図８の場合と同じく、図１１Ｂにおいてアンドゥボタン１５が選択された場合は、図１１Ａの拡大処理前の状態に戻される。
【００６８】
図１２において、ハッチングで示すように削除画像リスト表示ボタン１６が選択された場合、アルバム編集部３６は、アルバム画面１２に削除画像リスト６０を表示する。削除画像リスト６０には、削除画像ＩＭＤの画像表示セルＣＥが表示される。削除画像ＩＭＤが複数ある場合は、アルバム編集部３６は、削除画像ＩＭＤの画像表示セルＣＥを、図示するように削除画像リスト６０に並べて表示する。表示順序は、アルバムページ１４および削除予定画像リスト５０と同じく、例えば撮影日時が古い画像ＩＭから新しい画像ＩＭの順に、上から下、および左から右である。削除予定画像リスト５０と同じく、削除画像リスト６０が表示されている間は、アルバムページ１４の画像ＩＭおよび画像表示セルＣＥは、破線で示すようにグレーアウトされる。削除画像リスト６０は、削除画像リスト表示ボタン１６が再度選択された場合に表示が消える。
【００６９】
図１３に示すように、削除画像リスト６０の所望の画像表示セルＣＥが指Ｆで触れられ、その状態を維持したままアルバムページ１４に指Ｆを移動させるジェスチャ指示（ドラッグ＆ドロップ指示）がなされた場合、アルバム編集部３６は、アルバム編集処理として、指Ｆで触れられた画像表示セルＣＥに表示された削除画像ＩＭＤを、アルバムページ１４の元の位置に戻す戻し処理を実行する。
【００７０】
また、これとは逆に、アルバムページ１４の画像表示セルＣＥを削除画像リスト６０に移動させるドラッグ＆ドロップ指示がなされた場合、削除処理部４２は、ドラッグ＆ドロップ指示がなされた画像表示セルＣＥに表示された画像ＩＭに削除処理を実行する。つまり図１２に示す表示状態では、アルバムページ１４と削除画像リスト６０間で、画像ＩＭを行き来させることができる。
【００７１】
図１４において、アルバム管理情報３１は、アルバムページ１４に表示される画像ＩＭと、削除画像ＩＭＤとに分けられている。アルバム管理情報３１は、画像ＩＤとレイアウト情報を関連付けて記憶したものである。
【００７２】
レイアウト情報は、アドレス情報やその他トリミング位置情報等で構成される。アドレス情報は、アルバムページ１４に表示される画像ＩＭの場合は、画像ＩＭの画像表示セルＣＥが配されるアルバムページ１４の行および列を示すものである。削除画像ＩＭＤの場合は、削除画像ＩＭＤの画像表示セルＣＥが配される削除画像リスト６０の行および列を示すものである。
【００７３】
アルバムページ１４に表示される画像ＩＭのアドレス情報は、ＣＥ１１、ＣＥ１２、ＣＥ１３、・・・等、文字「ＣＥ」と２桁の数字を組み合わせたものである。図１５に示すように、２桁の数字のうちの１桁目がアルバムページ１４の行、２桁目が列をそれぞれ表す。例えば、アルバムページ１４の上から２行目かつ左から３列目の画像表示セルＣＥのアドレス情報はＣＥ２３である。
【００７４】
一方、削除画像ＩＭＤのアドレス情報は、ＤＣＥ１１、ＤＣＥ１２、・・・等、文字「ＤＣＥ」と２桁の数字を組み合わせたものである。アルバムページ１４に表示される画像ＩＭのアドレス情報と同様に、削除画像ＩＭＤのアドレス情報の２桁の数字のうちの１桁目が削除画像リスト６０の行、２桁目が列をそれぞれ表す。
【００７５】
アルバムページ１４に表示される画像ＩＭのアドレス情報によれば、当該画像ＩＭを表示する画像表示セルＣＥのサイズおよび形状を把握することができる。具体的には、アルバムページ１４に表示される画像ＩＭのうち、アドレス情報が１つだけ記憶されているものは、正方形状の単位セルＵＣＥに表示される画像ＩＭである。対して、アドレス情報が複数記憶されているものは、当該アドレス情報で表される単位セルＵＣＥを繋げた拡大領域ＥＲを画像表示セルＣＥとする拡大後画像ＩＭＥである。すなわち、拡大後画像ＩＭＥのアドレス情報は、指示受付部３５からアルバム編集部３６に出力される、拡大対象画像ＩＭＴの位置情報、および拡大領域ＥＲの位置情報に他ならない。
【００７６】
例えば画像ＩＤがＩＭ０１０の画像ＩＭには、アドレス情報としてＣＥ３２、ＣＥ３３、ＣＥ３４が記憶されている。したがって、ＩＭ０１０の画像ＩＭの画像表示セルＣＥは、図１５に示すように、上から３行目の左から２列目〜４列目の３個の単位セルＵＣＥが行方向に繋げられた、図８Ｂ等にも示した長方形状の拡大領域ＥＲであることが分かる。
【００７７】
図７〜図９、図１１では、行方向に沿って直線状に指Ｆを移動させる拡大指示に応じて、単位セルＵＣＥが行方向に繋げられて拡大表示がなされる例を示した。しかし、図１６〜図２１に示すように、拡大指示および拡大表示のバリエーションは、図７〜図９、図１１の例に限定されない。
【００７８】
図１６は、行方向ではなく列方向に沿って直線状に指Ｆを移動させる拡大指示に応じて、行方向ではなく列方向に単位セルＵＣＥが繋げられて拡大表示がなされる例である。図１６Ａの軌跡ＴＲに示すように、拡大指示は、画像ＩＤがＩＭ００４、アドレス情報がＣＥ１４の画像ＩＭの画像表示セルＣＥを始点として列方向に沿って指Ｆを移動させ、画像ＩＤがＩＭ０１６、アドレス情報がＣＥ４４の画像ＩＭの画像表示セルＣＥを終点とするものである。この場合、図１６Ｂに示すように、拡大対象画像ＩＭＴである、画像ＩＤがＩＭ００４の画像ＩＭが、ＣＥ１４、ＣＥ２４、ＣＥ３４、ＣＥ４４の各画像表示セルＣＥを列方向に繋げた拡大領域ＥＲに拡大表示される。
【００７９】
図１６では、ＣＥ２４、ＣＥ３４、ＣＥ４４の各画像表示セルＣＥに表示された、画像ＩＤがＩＭ００８、ＩＭ０１２、ＩＭ０１６の各画像ＩＭが、削除予定画像ＩＭＰである。なお、図１６では、削除予定画像リスト５０において全削除ボタン５３が選択され、削除予定画像ＩＭＰが全削除された場合を例示している。以降の図１７〜図２１もこの点は同じである。
【００８０】
図１７は、一行のみ、または一列のみではなく、複数行および複数列にわたって指Ｆを移動させる拡大指示に応じて、一行のみ、または一列のみではなく、複数行および複数列にわたって単位セルＵＣＥが繋げられて拡大表示がなされる例である。図１７Ａの軌跡ＴＲに示すように、拡大指示は、画像ＩＤがＩＭ０１４、アドレス情報がＣＥ４２の画像ＩＭの画像表示セルＣＥを始点として、ＣＥ４３、ＣＥ４４、ＣＥ５４、ＣＥ５３、ＣＥ５２の各画像表示セルＣＥと重なるように、時計回りに楕円を描くように指Ｆを移動させ、再び画像ＩＤがＩＭ０１４の画像ＩＭの画像表示セルＣＥに戻るものである。この場合、図１７Ｂに示すように、拡大対象画像ＩＭＴである、画像ＩＤがＩＭ０１４の画像ＩＭが、ＣＥ４２、ＣＥ４３、ＣＥ４４、ＣＥ５２、ＣＥ５３、ＣＥ５４の各画像表示セルＣＥを行列方向に繋げた拡大領域ＥＲに拡大表示される。
【００８１】
図１７では、ＣＥ４３、ＣＥ４４、ＣＥ５２、ＣＥ５３、ＣＥ５４の各画像表示セルＣＥに表示された、画像ＩＤがＩＭ０１５、ＩＭ０１６、ＩＭ０１８、ＩＭ０１９、ＩＭ０２０の各画像ＩＭが、削除予定画像ＩＭＰである。
【００８２】
図１８は、アルバムページ１４内で拡大指示および拡大表示が複数回行われる例である。図１８Ａは、図１７Ｂと同じく、画像ＩＤがＩＭ０１４の画像ＩＭが、ＣＥ４２、ＣＥ４３、ＣＥ４４、ＣＥ５２、ＣＥ５３、ＣＥ５４の各画像表示セルＣＥを行列方向に繋げた拡大領域ＥＲに拡大表示された状態を示している。そして、軌跡ＴＲに示すように、画像ＩＤがＩＭ００１、アドレス情報がＣＥ１１の画像ＩＭの画像表示セルＣＥを始点として、ＣＥ１２、ＣＥ２２、ＣＥ２１の画像表示セルＣＥと重なるように、時計回りに円を描くように指Ｆを移動させ、再び画像ＩＤがＩＭ００１の画像ＩＭの画像表示セルＣＥに戻る拡大指示が行われた場合を示している。この場合、図１８Ｂに示すように、拡大対象画像ＩＭＴである、画像ＩＤがＩＭ００１の画像ＩＭが、ＣＥ１１、ＣＥ１２、ＣＥ２１、ＣＥ２２の各画像表示セルＣＥを行列方向に繋げた拡大領域ＥＲに拡大表示される。
【００８３】
図１８では、ＣＥ１２、ＣＥ２１、ＣＥ２２の各画像表示セルＣＥに表示された、画像ＩＤがＩＭ００２、ＩＭ００５、ＩＭ００６の各画像ＩＭが、削除予定画像ＩＭＰである。
【００８４】
図１９は、拡大後画像ＩＭＥを拡大対象画像ＩＭＴに指定する例である。図１９Ａの軌跡ＴＲに示すように、拡大指示は、画像ＩＤがＩＭ０１４、アドレス情報がＣＥ４２、ＣＥ４３、ＣＥ４４、ＣＥ５２、ＣＥ５３、ＣＥ５４の拡大後画像ＩＭＥの画像表示セルＣＥを始点として、ＣＥ６４、ＣＥ６３、ＣＥ６２の各画像表示セルＣＥと重なるように、時計回りに楕円を描くように指Ｆを移動させ、再び画像ＩＤがＩＭ０１４の画像ＩＭの画像表示セルＣＥに戻るものである。この場合、図１９Ｂに示すように、拡大後画像ＩＭＥであって拡大対象画像ＩＭＴである、画像ＩＤがＩＭ０１４の画像ＩＭが、ＣＥ４２、ＣＥ４３、ＣＥ４４、ＣＥ５２、ＣＥ５３、ＣＥ５４、ＣＥ６２、ＣＥ６３、ＣＥ６４の各画像表示セルＣＥを行列方向に繋げた拡大領域ＥＲに拡大表示される。
【００８５】
図１９では、ＣＥ６２、ＣＥ６３、ＣＥ６４の各画像表示セルＣＥに表示された、画像ＩＤがＩＭ０２２、ＩＭ０２３、ＩＭ０２４の各画像ＩＭが、削除予定画像ＩＭＰである。
【００８６】
図２０は、画像表示セルＣＥを指Ｆで環状になぞった場合の例である。図２０Ａの軌跡ＴＲに示すように、拡大指示は、画像ＩＤがＩＭ００６、アドレス情報がＣＥ２２の画像ＩＭの画像表示セルＣＥを始点として、ＣＥ２３、ＣＥ２４、ＣＥ３４、ＣＥ４４、ＣＥ４３、ＣＥ４２、ＣＥ３２の各画像表示セルＣＥと重なるように、時計回りに正方形を描くように指Ｆを移動させ、再び画像ＩＤがＩＭ００６の画像ＩＭの画像表示セルＣＥに戻るものである。つまり、ＣＥ３３の画像表示セルＣＥを取り囲む８個の各画像表示セルＣＥを指Ｆで環状になぞるものである。この場合、図２０Ｂに示すように、拡大対象画像ＩＭＴである、画像ＩＤがＩＭ００６の画像ＩＭが、ＣＥ２２、ＣＥ２３、ＣＥ２４、ＣＥ３２、ＣＥ３４、ＣＥ４２、ＣＥ４３、ＣＥ４４の各画像表示セルＣＥを行列方向に繋げた環状の拡大領域ＥＲに拡大表示される。
【００８７】
図２０では、ＣＥ２３、ＣＥ２４、ＣＥ３２、ＣＥ３４、ＣＥ４２、ＣＥ４３、ＣＥ４４の各画像表示セルＣＥに表示された、画像ＩＤがＩＭ００７、ＩＭ００８、ＩＭ０１０、ＩＭ０１２、ＩＭ０１４、ＩＭ０１５、ＩＭ０１６の各画像ＩＭが、削除予定画像ＩＭＰである。
【００８８】
図２１は、図２０と同じく、画像表示セルＣＥを指Ｆで環状になぞった場合の別の例である。図２０では拡大領域ＥＲを環状の領域としたが、図２１は異なる。すなわち、図２１Ｂに示すように、拡大対象画像ＩＭＴである、画像ＩＤがＩＭ００６の画像ＩＭが、ＣＥ２２、ＣＥ２３、ＣＥ２４、ＣＥ３２、ＣＥ３３、ＣＥ３４、ＣＥ４２、ＣＥ４３、ＣＥ４４の各画像表示セルＣＥを行列方向に繋げた正方形状の拡大領域ＥＲに拡大表示される。
【００８９】
図２１では、ＣＥ２３、ＣＥ２４、ＣＥ３２、ＣＥ３３、ＣＥ３４、ＣＥ４２、ＣＥ４３、ＣＥ４４の各画像表示セルＣＥに表示された、画像ＩＤがＩＭ００７、ＩＭ００８、ＩＭ０１０、ＩＭ０１１、ＩＭ０１２、ＩＭ０１４、ＩＭ０１５、ＩＭ０１６の各画像ＩＭが、削除予定画像ＩＭＰである。
【００９０】
図２０と図２１に示す態様は、いずれを採用してもよい。図２０と図２１に示す態様を両方採用し、ユーザ１１の選択に応じて切り替える構成でもよい。
【００９１】
このように、拡大指示および拡大表示のバリエーションは様々である。したがって、例えば、山並みをパノラマ撮影した画像ＩＭについては行方向に長い拡大領域ＥＲとし、縦長の建造物を下から撮影した画像ＩＭについては列方向に長い拡大領域ＥＲとする等、拡大領域ＥＲを画像ＩＭに応じた適切な形状とすることができる。
【００９２】
なお、図示は省略するが、拡大指示の仕方によっては、拡大後画像ＩＭＥが削除予定画像ＩＭＰとなることもあり得る。
【００９３】
アルバム編集部３６が実行するアルバム編集処理には、上記に示したものの他にも色々ある。例えば、アルバムページ１４内の画像表示セルＣＥの表示順序を変更する処理、アルバムページ１４内の画像ＩＭをディスプレイ２５全体に拡大表示させる処理、アルバムページ１４、削除予定画像リスト５０、削除画像リスト６０をスクロール表示させる処理等がある。
【００９４】
画像表示セルＣＥの表示順序を変更する処理は、例えば、所望の画像ＩＭの画像表示セルＣＥを指Ｆで選択して、画像表示セルＣＥの表示順序の変更を許可する旨の選択肢が設けられたダイアログを表示させ、ダイアログ内の当該選択肢を選択するジェスチャ指示を契機に実行される。アルバムページ１４内の画像ＩＭをディスプレイ２５全体に拡大表示させる処理も同様に、所望の画像ＩＭの画像表示セルＣＥを指Ｆで選択して、画像ＩＭをディスプレイ２５全体に拡大表示させる旨の選択肢が設けられたダイアログを表示させ、ダイアログ内の選択肢を選択するジェスチャ指示を契機に実行される。スクロール表示処理は、例えば、アルバムページ１４等の内部を上下に指Ｆで払うジェスチャ指示（フリック指示）によって実行される。ユーザ１１は、所望の画像ＩＭを拡大表示したり、不要な画像ＩＭを削除したり、画像表示セルＣＥの表示順序を変更したりして、アルバムページ１４内の画像ＩＭを自らの趣向に沿ったレイアウトとする。
【００９５】
図２１Ｂに代表して示すように、ユーザ１１は、現在アルバム画面１２に表示されているアルバムページ１４のうちの矩形状の領域（以下、電子アルバム領域という）ＡＲを指定して、指定した電子アルバム領域ＡＲを新たに画像ＩＭとして画像格納部３２に格納したり、スマートフォン１０の待ち受け画像に設定したりすることが可能である。また、電子アルバム領域ＡＲは、ネットワーク２７上に存在するプリント注文受付サーバにプリントを注文することもできる。
【００９６】
電子アルバム領域ＡＲは、行方向の幅はアルバムページ１４と同じで固定で、列方向の幅が可変である。また、電子アルバム領域ＡＲは、単位セルＵＣＥを移動単位として列方向に沿って移動可能である。
【００９７】
次に、上記構成を備えるスマートフォン１０の作用について、図２２のフローチャートを参照して説明する。まず、ステップＳＴ１００に示すように、電子アルバムアプリ３０が起動されると、図３に示したように、ＣＰＵ２２に指示受付部３５およびアルバム編集部３６が構築される。これにより、スマートフォン１０は電子アルバム装置として機能する。
【００９８】
電子アルバムアプリ３０の起動後、画面生成部４０により受付画面が生成されてディスプレイ２５に出力される（ステップＳＴ１１０）。受付画面で特に指定がない場合は、全ての画像ＩＭがアルバム編集部３６により画像格納部３２から読み出され、全ての画像ＩＭがアルバムページ１４に配される。一方、受付画面で属性が指定された場合は、指定された属性をもつ画像ＩＭがアルバム編集部３６により画像格納部３２から検索され、検索された画像ＩＭがアルバムページ１４に配される。こうして複数の画像ＩＭが配されたアルバムページ１４を含むアルバム画面１２が画面生成部４０で生成され、図１等に示したようにディスプレイ２５に出力される（ステップＳＴ１２０、画面生成ステップ）。
【００９９】
指示受付部３５では、アルバムページ１４内をユーザ１１の１本の指Ｆでなぞるスワイプ指示が拡大指示として待ち受けられている（ステップＳＴ１３０）。指示受付部３５で拡大指示が受け付けられた場合（ステップＳＴ１３０でＹＥＳ、指示受付ステップ）、図１０に示したように、問い合わせ部４３により削除予定画像リスト５０がアルバム画面１２に表示される（ステップＳＴ１４０、問い合わせステップ）。
【０１００】
削除予定画像リスト５０を通じて、削除処理を実行せずにアルバムページ１４に残す削除予定画像ＩＭＰを選択する第１選択指示、または全ての削除予定画像ＩＭＰに削除処理を実行してアルバムページ１４から削除する全削除指示がなされ、問い合わせ部４３で受け付けられる（ステップＳＴ１５０）。拡大処理部４１および削除処理部４２では、拡大指示、第１選択指示、あるいは全削除指示に応じた拡大処理（拡大対象画像ＩＭＴの認識）、削除処理が実行される（ステップＳＴ１６０、認識ステップ、アルバム編集ステップ）。例えば図８Ｂ等に示したように、拡大処理部４１によって、拡大領域ＥＲに拡大後画像ＩＭＥが拡大表示される。また、削除予定画像リスト５０を通じて問い合わせ部４３で第１選択指示を受け付けなかった削除予定画像ＩＭＰ、もしくは全削除指示を受け付けた場合は全ての削除予定画像ＩＭＰに対して、削除処理部４２で削除処理が実行される。
【０１０１】
アルバム編集部３６により、拡大処理、削除処理実行後のアルバム画面１２がディスプレイ２５に出力される（ステップＳＴ１７０）。ステップＳＴ１３０〜ステップＳＴ１７０に示した一連の処理は、電子アルバムアプリ３０が終了される（ステップＳＴ１８０でＹＥＳ）まで繰り返し続けられる。
【０１０２】
以上説明したように、電子アルバム装置として機能するスマートフォン１０において、
拡大対象画像ＩＭＴの拡大領域ＥＲに重なる削除予定画像ＩＭＰをアルバムページ１４か
ら削除する削除処理を実行する前に削除予定画像リスト５０を表示し、削除予定画像リス
ト５０を通じて、削除予定画像ＩＭＰに対して削除処理を実行してよいか否かを問い合わ
せるので、ユーザ１１に何の断りもなく削除予定画像ＩＭＰを削除してしまう場合と比べ
て、ユーザフレンドリーである。
【０１０３】
削除予定画像リスト５０は、削除予定画像ＩＭＰがコンパクトにまとめられたものである。このため、削除予定画像リスト５０を通じて、削除処理を実行せずにアルバムページ１４に残す削除予定画像ＩＭＰを選択する第１選択指示を受け付ければ、ユーザ１１は第１選択指示がしやすい。
【０１０４】
削除予定画像ＩＭＰの中にアルバムページ１４に残したいものがあった場合は、削除予
定画像リスト５０を通じて第１選択指示をすればよい。一方、削除予定画像ＩＭＰが、同
じ撮影場所で何枚も連続して撮影した、表示内容が類似した画像ＩＭの集まりであった場
合は、全削除指示をする。これにより、表示内容が類似した画像ＩＭを一括して簡単にア
ルバムページ１４から削除することができ、アルバムページ１４の画像ＩＭの整理整頓が
捗る。
【０１０５】
アルバムページ１４には、単位セルＵＣＥを基準として、単位セルＵＣＥの正の整数倍に大きさが変化する画像表示セルＣＥがグリッド状に配列されている。そして、拡大対象画像ＩＭＴの拡大領域ＥＲは、単位セルＵＣＥの正の整数倍の大きさの領域である。したがって、アルバムページ１４における画像ＩＭの表示が整然としたものとなる。
【０１０６】
指示受付部３５は、拡大対象画像ＩＭＴを始点として、拡大領域ＥＲに沿ってアルバムページ１４内を１本の指Ｆでなぞるスワイプ指示を、拡大指示として受け付ける。こうしたスワイプ指示は比較的細かな指示が可能である。このため、スマートフォン１０等、ディスプレイ２５のサイズが比較的小さい携帯情報端末を電子アルバム装置として使用する場合に特に有効である。
【０１０７】
図１０に示した削除予定画像リスト５０では、問い合わせ部４３は、削除処理を実行せずにアルバムページ１４に残す削除予定画像ＩＭＰを選択する第１選択指示を受け付けていた。対して図２３に示す削除予定画像リスト６５では、問い合わせ部４３は、第１選択指示に代えて、削除処理を実行してアルバムページ１４から削除する削除予定画像ＩＭＰを選択する第２選択指示を受け付ける。
【０１０８】
図２３において、削除予定画像リスト６５の上部には、削除予定画像リスト５０の第１選択指示を促す旨のメッセージに代えて、削除処理を実行してアルバムページ１４から削除する削除予定画像ＩＭＰを選択する旨、すなわち第２選択指示を促す旨のメッセージが表示される。また、削除予定画像リスト６５には、削除予定画像リスト５０の残すボタン５２および全削除ボタン５３に代えて、削除ボタン６６および全残しボタン６７が設けられている。
【０１０９】
アルバムページ１４から削除したい削除予定画像ＩＭＰの画像表示セルＣＥが選択されて、削除ボタン６６が選択された場合、第２選択指示が問い合わせ部４３で受け付けられる。すなわち、問い合わせ部４３は、削除予定画像リスト６５を通じて、削除処理を実行してアルバムページ１４から削除する削除予定画像ＩＭＰを選択する第２選択指示を受け付ける。
【０１１０】
一方、全残しボタン６７が選択された場合、全ての削除予定画像ＩＭＰに削除処理を実行せずに、全ての削除予定画像ＩＭＰをアルバムページ１４に残す全残し指示が問い合わせ部４３で受け付けられる。削除処理部４２は、この削除予定画像リスト６５を通じて問い合わせ部４３で第２選択指示を受け付けた削除予定画像ＩＭＰに対して、削除処理を実行する。反対に、削除処理部４２は、問い合わせ部４３で第２選択指示を受け付けなかった削除予定画像ＩＭＰ、もしくは全残し指示を受け付けた場合は全ての削除予定画像ＩＭＰに対して、削除処理を実行しない。
【０１１１】
このように、問い合わせ部４３で受け付ける指示は、第１選択指示、第２選択指示のいずれでもよい。なお、削除予定画像リスト５０の全削除ボタン５３を、削除予定画像リスト６５に設けてもよい。逆に、削除予定画像リスト６５の全残しボタン６７を、削除予定画像リスト５０に設けてもよい。
【０１１２】
以下に説明する第２、第３実施形態では、削除予定画像ＩＭＰについて、削除処理を実行すべきものかを表す第１評価値を取得し、削除予定画像リストにおいて、第１評価値に応じた表示形態で削除予定画像ＩＭＰを表示する。
【０１１３】
[第２実施形態]
図２４〜図３１に示す第２実施形態では、第１評価値が予め設定された第１範囲内の削除予定画像ＩＭＰのみを削除予定画像リストに表示する。
【０１１４】
図２４において、本実施形態のアルバム編集部７０は、上記第１実施形態の各部４０〜４３（拡大処理部４１、削除処理部４２は図示省略）に加えて、第１評価値を導出する導出部７１と、第１評価値を取得する取得部７２を備えている。また、ストレージデバイス２０には、電子アルバムアプリ３０等に加えて、削除予定画像情報７３が記憶される。
【０１１５】
図２５に示すように、導出部７１は、削除予定画像ＩＭＰの画質、削除予定画像ＩＭＰに映る被写体、削除予定画像ＩＭＰの撮影日時、削除予定画像ＩＭＰの撮影場所のうちの少なくともいずれか１つに基づいて第１評価値を導出する。導出部７１は、第１評価値を取得部７２に出力する。取得部７２は、導出部７１からの第１評価値を取得する。そして、取得した第１評価値を削除予定画像情報７３に記憶する。
【０１１６】
導出部７１は、例えば０点を最低点、１０点を満点として第１評価値を導出する。このため、第１評価値が１０点に近い程、その削除予定画像ＩＭＰは、削除処理を実行すべきもの、すなわちアルバムページ１４から削除すべきものであるということができる。逆に、第１評価値が０点に近い程、その削除予定画像ＩＭＰは、削除処理を実行すべきでないもの、言い換えれば削除処理を実行せずにアルバムページ１４に残すべきものであるということができる。
【０１１７】
画質に基づく第１評価値の導出は、削除予定画像ＩＭＰの明るさ、彩度、色味、ボケ、ブレ、構図等が適正であるか否かを判断する。そして、適正であると判断した場合は第１評価値を下げ、適正でないと判断した場合は第１評価値を上げる。
【０１１８】
被写体に基づく第１評価値の導出は、例えば、削除予定画像ＩＭＰに映る人物の顔を抽出する。そして、抽出した人物が予め登録された特定の人物でない場合は第１評価値を上げる。あるいは、抽出した人物の顔の数が予め設定された閾値よりも少ない場合、および／または、抽出した人物の顔が予め設定された閾値よりも小さい場合に第１評価値を上げる。さらには、抽出した人物の顔が正面を向いていない場合、および／または、削除予定画像ＩＭＰの中心部分に位置していない場合に第１評価値を上げる。
【０１１９】
撮影日時または撮影場所に基づく第１評価値の導出は、例えば、削除予定画像ＩＭＰと略同じ撮影日時または略同じ撮影場所の画像ＩＭがアルバムページ１４に表示されている場合に、第１評価値を上げる。なお、こうした第１評価値の導出方法は、例えば特許第５６５５１１２号に記載されている通り従来公知のものであるため、詳細な説明は省略する。
【０１２０】
図２６に示すように、削除予定画像情報７３は、各削除予定画像ＩＭＰの画像ＩＤに第１評価値を関連付けて記憶したものである。図２６では、画像ＩＤがＩＭ０５０〜ＩＭ０５７の計８枚の削除予定画像ＩＭＰについての第１評価値が記憶された削除予定画像情報７３を例示している。これによれば、画像ＩＤがＩＭ０５０の削除予定画像ＩＭＰが第１評価値＝９．８と最も１０点に近く、最も削除処理を実行すべきものであることが分かる。対して、画像ＩＤがＩＭ０５６の削除予定画像ＩＭＰは、第１評価値＝１．９と最も０点に近く、逆に最も削除処理を実行すべきでないもの、言い換えれば最もアルバムページ１４に残すべきものであることが分かる。
【０１２１】
図２７に示すように、問い合わせ部４３は、第１評価値および予め設定された第１範囲に基づいて、各削除予定画像ＩＭＰを削除予定画像リスト５０に表示するか否かを決定する。すなわち、問い合わせ部４３は、第１評価値が第１範囲内の削除予定画像ＩＭＰは削除予定画像リスト５０に表示すると決定し、第１評価値が第１範囲外の削除予定画像ＩＭＰは削除予定画像リスト５０に表示しないと決定する。問い合わせ部４３が削除予定画像リスト５０に表示しないと決定した削除予定画像ＩＭＰについては、アルバムページ１４に残す。
【０１２２】
図２７には、第１範囲に第１評価値５．０以上が設定され、図２６に示した、画像ＩＤがＩＭ０５０〜ＩＭ０５７の各削除予定画像ＩＭＰの削除予定画像リスト５０への表示、非表示が決定される様子を示している。第１評価値が５．０以上で第１範囲内にある、画像ＩＤがＩＭ０５０、ＩＭ０５２、ＩＭ０５３、ＩＭ０５４の削除予定画像ＩＭＰは、削除予定画像リスト５０に表示すると決定されている。一方、第１評価値が５．０未満で第１範囲外にある、画像ＩＤがＩＭ０５１、ＩＭ０５５、ＩＭ０５６、ＩＭ０５７の削除予定画像ＩＭＰは、削除予定画像リスト５０に表示しないと決定されている。
【０１２３】
図２８において、削除予定画像リスト５０には、問い合わせ部４３で表示すると決定した削除予定画像ＩＭＰのみが表示される。図２８の削除予定画像リスト５０は、図２６および図２７の場合の例である。このため、画像ＩＤがＩＭ０５０、ＩＭ０５２、ＩＭ０５３、ＩＭ０５４の削除予定画像ＩＭＰのみが表示されている。
【０１２４】
このように、第１評価値が第１範囲内の削除予定画像ＩＭＰのみを削除予定画像リスト５０に表示するので、第１選択指示の候補となる削除予定画像ＩＭＰの数が絞られ、第１選択指示を行うユーザ１１の負担を減らすことができる。
【０１２５】
本例のように第１範囲をある数値以上とした場合、第１評価値が第１範囲内の削除予定画像ＩＭＰは、第１評価値が第１範囲外のものと比べて、削除処理を実行してアルバムページ１４から削除したほうがよいものである。このため、削除予定画像リスト５０において、削除処理を実行せずにアルバムページ１４に残す第１選択指示がされることは少なく、多くは全削除ボタン５３の選択で済まされると予想される。この点からも、ユーザ１１の負担を減らすことができると考えられる。
【０１２６】
第１評価値が低い順に削除予定画像ＩＭＰの画像表示セルＣＥを並べる等、削除予定画像リスト５０における削除予定画像ＩＭＰの画像表示セルＣＥの表示順序を、第１評価値に応じてソートしてもよい。
【０１２７】
全ての削除予定画像ＩＭＰの第１評価値が第１範囲外で、全ての削除予定画像ＩＭＰを削除予定画像リスト５０に表示しないと決定した場合には、削除予定画像リスト５０自体を表示しなくてもよい。あるいは、上記第１実施形態のように、全ての削除予定画像ＩＭＰを削除予定画像リスト５０に表示し、削除予定画像ＩＭＰを削除するか否かの判断を全てユーザ１１に委ねてもよい。
【０１２８】
なお、図２９に示すように、削除予定画像リスト５０において、第１評価値の大きさに応じて削除予定画像ＩＭＰ（画像表示セルＣＥ）を拡縮することで、第１評価値の大小が識別可能な表示形態で削除予定画像ＩＭＰを表示してもよい。具体的には、問い合わせ部４３は、第１評価値が低い削除予定画像ＩＭＰの画像表示セルＣＥほどサイズを大きくする。
【０１２９】
図２９の削除予定画像リスト５０は、図２８に引き続き、図２６および図２７の場合の例である。このため、この中では第１評価値が最も高い、画像ＩＤがＩＭ０５０の削除予定画像ＩＭＰの画像表示セルＣＥのサイズが最も小さくなっている。そして、画像ＩＤがＩＭ０５３の削除予定画像ＩＭＰ、画像ＩＤがＩＭ０５４の削除予定画像ＩＭＰと続き、第１評価値が最も低い、画像ＩＤがＩＭ０５２の削除予定画像ＩＭＰの画像表示セルＣＥのサイズが最も大きくなっている。
【０１３０】
このように、第１評価値の大小が識別可能な表示形態で削除予定画像ＩＭＰを表示すれば、第１評価値の大小が一目で分かる。第１評価値は、ユーザ１１が第１選択指示を行ううえで重要な判断材料となるので、第１評価値の大小が一目で分かれば、スムーズに第１選択指示を行うことができる。
【０１３１】
図２９とは逆に、第１評価値が高い削除予定画像ＩＭＰの画像表示セルＣＥほどサイズを大きくしてもよい。ただし、削除予定画像リスト５０は、削除処理を実行せずにアルバムページ１４に残す削除予定画像ＩＭＰを選択する第１選択指示を受け付けるものである。このため、削除予定画像リスト５０においては、第１選択指示がされやすい、第１評価値が低くアルバムページ１４に残すべき削除予定画像ＩＭＰの画像表示セルＣＥほどサイズを大きくするほうが好ましい。
【０１３２】
第１評価値が高い削除予定画像ＩＭＰの表示透明度を上げて薄く見せる等してもよい。また、画像表示セルＣＥに縁どりを設け、縁どりの色を第１評価値に応じて変更することで、第１評価値の大小が識別可能な表示形態で削除予定画像ＩＭＰを表示してもよい。第１評価値自体を削除予定画像リスト５０に表示してもよい。
【０１３３】
削除予定画像リスト５０に代えて、図２３に示した、第２選択指示を受け付ける削除予定画像リスト６５を用いてもよい。この場合、例えば図３０に示すように、図２７の場合とは逆に第１範囲を第１評価値５．０未満とし、削除予定画像リスト６５に表示する削除予定画像ＩＭＰを、アルバムページ１４に残すべきものとする。またこの場合、問い合わせ部４３が削除予定画像リスト６５に表示しないと決定した削除予定画像ＩＭＰについては、削除処理部４２が削除処理を実行する。
【０１３４】
この場合、図３１に示すように、削除予定画像リスト６５には、第１評価値が５．０未満で第１範囲内にある、画像ＩＤがＩＭ０５１、ＩＭ０５５、ＩＭ０５６、ＩＭ０５７の削除予定画像ＩＭＰのみが表示される。
【０１３５】
これら図３０および図３１に示す態様によっても、削除予定画像リスト６５において、削除処理を実行してアルバムページ１４から削除する第２選択指示がされることは少なく、多くは全残しボタン６７の選択で済まされると予想されるので、ユーザ１１の負担を減らすことができると考えられる。
【０１３６】
なお、図３１の削除予定画像リスト６５に、図２９に示した、第１評価値の大小が識別可能な表示形態で削除予定画像ＩＭＰを表示する態様を適用してもよい。
【０１３７】
[第３実施形態]
図３２に示す第３実施形態では、問い合わせ部４３は、削除予定画像リスト５０において、全ての削除予定画像ＩＭＰを表示し、かつ第１評価値の大小が識別可能な表示形態で削除予定画像ＩＭＰを表示する。
【０１３８】
図３２において、削除予定画像リスト５０には、全ての削除予定画像ＩＭＰが表示される。また、図２９に示した態様と同じく、第１評価値が低い削除予定画像ＩＭＰの画像表示セルＣＥほどサイズが大きく表示される。図３２の削除予定画像リスト５０は、図２８、図２９、図３１に引き続き、図２６および図２７の場合の例である。このため、この中では第１評価値が最も高い、画像ＩＤがＩＭ０５０の削除予定画像ＩＭＰの画像表示セルＣＥのサイズが最も小さく、第１評価値が最も低い、画像ＩＤがＩＭ０５６の削除予定画像ＩＭＰの画像表示セルＣＥのサイズが最も大きくなっている。
【０１３９】
このように、全ての削除予定画像ＩＭＰを表示し、かつ第１評価値の大小が識別可能な表示形態で削除予定画像ＩＭＰを表示するので、図２９の場合と同じく、第１評価値の大小が一目で分かり、スムーズに第１選択指示を行うことができる。
【０１４０】
また、上記第１実施形態にも言えることだが、削除予定画像ＩＭＰを削除するか否かの判断を全てユーザ１１に委ねている。このため、上記第２実施形態のように、問い合わせ部４３が削除予定画像リスト５０に表示しないと決定した削除予定画像ＩＭＰが、ユーザ１１の意向に関係なくアルバムページ１４に残されたり、問い合わせ部４３が削除予定画像リスト６５に表示しないと決定した削除予定画像ＩＭＰが、ユーザ１１の意向に関係なくアルバムページ１４から削除されたりすることがない。
【０１４１】
なお、図３３に示すように、削除予定画像リスト５０に代えて、削除予定画像リスト６５を用いてもよい。この場合は図３２とは逆に、第１評価値が高い削除予定画像ＩＭＰの画像表示セルＣＥほどサイズが大きく表示される。図３３の削除予定画像リスト６５は、図２８、図２９、図３１、図３２に引き続き、図２６および図２７の場合の例である。このため、第１評価値が最も高い、画像ＩＤがＩＭ０５０の削除予定画像ＩＭＰの画像表示セルＣＥのサイズが最も大きく、第１評価値が最も低い、画像ＩＤがＩＭ０５６の削除予定画像ＩＭＰの画像表示セルＣＥのサイズが最も小さくなっている。
【０１４２】
上記第２、第３実施形態では、削除処理を実行すべきものかを表す第１評価値を用いたが、第１評価値に代えて、削除処理を実行せずにアルバムページ１４に残すべきものかを表す第２評価値を用いてもよい。
【０１４３】
第２評価値は、第１評価値とは真逆の価値基準を示す値である。このため、例えば、画質に基づく第２評価値の導出は、削除予定画像ＩＭＰの明るさ、彩度、色味、ボケ、ブレ、構図等が適正であると判断した場合は第２評価値を上げ、適正でないと判断した場合は第２評価値を下げる、といったように、第１評価値の前述の説明とは全て逆となる。
【０１４４】
図３４は、上記第２実施形態で第２評価値を用いた例である。この場合、問い合わせ部４３は、第２評価値が第２範囲内の削除予定画像ＩＭＰは削除予定画像リスト５０に表示すると決定し、第２評価値が第２範囲外の削除予定画像ＩＭＰは削除予定画像リスト５０に表示しないと決定する。問い合わせ部４３が削除予定画像リスト５０に表示しないと決定した削除予定画像ＩＭＰについては、アルバムページ１４に残す。
【０１４５】
図３４には、第２範囲に第２評価値５．０未満が設定され、画像ＩＤがＩＭ０５０〜ＩＭ０５７の各削除予定画像ＩＭＰの削除予定画像リスト５０への表示、非表示が決定される様子を示している。第２評価値が５．０未満で第２範囲内にある、画像ＩＤがＩＭ０５０、ＩＭ０５２、ＩＭ０５３、ＩＭ０５４の削除予定画像ＩＭＰは、削除予定画像リスト５０に表示すると決定されている。一方、第２評価値が５．０以上で第２範囲外にある、画像ＩＤがＩＭ０５１、ＩＭ０５５、ＩＭ０５６、ＩＭ０５７の削除予定画像ＩＭＰは、削除予定画像リスト５０に表示しないと決定されている。この場合、削除予定画像リスト５０は、図２８に示したものと同じとなる。
【０１４６】
上記第３実施形態で第２評価値を用いた場合は、例えば、削除予定画像リスト５０において、第２評価値が高い削除予定画像ＩＭＰの画像表示セルＣＥほどサイズを大きくする。あるいは、削除予定画像リスト６５において、第２評価値が低い削除予定画像ＩＭＰの画像表示セルＣＥほどサイズを大きくする。
【０１４７】
このように、削除予定画像ＩＭＰの表示形態を左右する評価値は、削除処理を実行すべきものかを表す第１評価値、削除処理を実行せずにアルバムページ１４に残すべきものかを表す第２評価値のいずれでもよい。
【０１４８】
なお、削除予定画像ＩＭＰに対して削除処理を実行してよいか否かを問い合わせる態様としては、全削除とするか全残しとするかの２択をユーザ１１に迫るものでもよい。
【０１４９】
導出部７１は、必ずしもスマートフォン１０のＣＰＵ２２に構築されなくともよい。スマートフォン１０とは別のコンピュータのＣＰＵに導出部７１を構築してもよい。この場合、別のコンピュータの導出部７１で導出した第１評価値、または第２評価値を、ネットワーク２７等を経由してスマートフォン１０に取り込む。
【０１５０】
図３５Ａに示すように、拡大処理のアンドゥの対象の拡大後画像ＩＭＥの画像表示セルＣＥが非表示部分７４に存在していた場合を考える。この状態でアンドゥボタン１５が選択された場合は、図３５Ｂに示すように、非表示部分７４において拡大後画像ＩＭＥが拡大処理前の状態に戻される。非表示部分７４において拡大後画像ＩＭＥが拡大処理前の状態に戻されるので、ユーザ１１は、拡大後画像ＩＭＥが本当に拡大処理前の状態に戻されたか否かがよく分からない。このためユーザ１１は、スクロール指示を行って非表示部分７４をスクロール表示して、拡大後画像ＩＭＥが拡大処理前の状態に戻ったかどうかを確認する必要がある。
【０１５１】
そこで、図３６Ｂに示すように、拡大処理のアンドゥの対象の拡大後画像ＩＭＥの画像表示セルＣＥが非表示部分７４に存在していて、アンドゥボタン１５が選択された場合は、アルバム編集部３６は、アンドゥ表示ダイアログ７５をアルバム画面１２にポップアップ表示する。アンドゥ表示ダイアログ７５には、下矢印を挟んで、拡大処理のアンドゥの対象の拡大後画像ＩＭＥの画像表示セルＣＥと、拡大処理前の状態に戻された画像ＩＭの画像表示セルＣＥとが表示される。アンドゥ表示ダイアログ７５は、所定時間（例えば３秒）表示された後、自動的に表示が消える。
【０１５２】
アンドゥ表示ダイアログ７５によれば、拡大後画像ＩＭＥが拡大処理前の状態に戻されたことが一目瞭然である。このため、ユーザ１１は、拡大後画像ＩＭＥが拡大処理前の状態に戻ったかどうかを確認するためにスクロール指示を行って非表示部分７４をスクロール表示する必要がなくなる。
【０１５３】
なお、図３７に示すように、削除処理を実行してアルバムページ１４から削除画像ＩＭＤを削除する場合に、削除画像ＩＭＤの画像表示セルＣＥが段ボール箱状の削除画像リスト表示ボタン１６に放り込まれるようなアニメーションを表示してもよい。こうすれば、どういった画像ＩＭがアルバムページ１４から削除されるかが一目で分かる。
【０１５４】
スワイプ指示に代えて、あるいは加えて、拡大対象画像ＩＭＴの画像表示セルＣＥに２本の指Ｆ（例えば親指と人差し指）を触れて、画像表示セルＣＥを２本の指Ｆで押し広げるジェスチャ指示（ピンチアウト指示）を拡大指示としてもよい。
【０１５５】
あるいは図３８Ａに軌跡ＴＲで示すように、拡大対象画像ＩＭＴの画像表示セルＣＥに１本の指Ｆを触れて、画像表示セルＣＥ内で指Ｆを渦巻状に移動させるジェスチャ指示を、スワイプ指示に加えて拡大指示としてもよい。拡大対象画像ＩＭＴを行方向に拡大したい場合には、渦巻が行方向に長くなるように指Ｆを移動させ、拡大対象画像ＩＭＴを列方向に拡大したい場合には、渦巻が列方向に長くなるように指Ｆを移動させる。拡大対象画像ＩＭＴを行方向および列方向に拡大したい場合には、渦巻が斜め方向に長くなるように指Ｆを移動させる。
【０１５６】
この場合、図３８Ｂに示すように、拡大対象画像ＩＭＴ以降に配されていた画像ＩＭは、削除処理が実行されることなく、画像表示セルＣＥの表示順序がずらされるのみである。つまり、この渦巻状のジェスチャ指示を受け付けた場合は、削除予定画像ＩＭＰは発生しない。したがって、この場合は削除予定画像リストを表示する必要はない。
【０１５７】
このように、削除予定画像ＩＭＰが発生するものと発生しないものの２種類の拡大指示を用意しておいても構わない。拡大対象画像ＩＭＴの拡大に伴う他の画像ＩＭの削除を意図しないユーザ１１は、削除予定画像ＩＭＰが発生しない図３８に示す渦巻状のジェスチャ指示を行えばよい。したがって、様々なユーザ１１の意図に柔軟に応えることができる。
【０１５８】
指紋認証や指の接触面積の違い等で人差し指によるスワイプ指示と親指によるスワイプ指示を区別可能な構成とし、人差し指によるスワイプ指示を削除予定画像ＩＭＰが発生するもの、親指によるスワイプ指示を削除予定画像ＩＭＰが発生しないものと切り分けてもよい。
【０１５９】
単位セルＵＣＥは、正方形状に限らず長方形状でもよい。また、隙間１７を空けることなく画像表示セルＣＥを並べてもよい。
【０１６０】
上記各実施形態では、拡大対象画像ＩＭＴの選択指示を、拡大対象画像ＩＭＴの画像表示セルＣＥに指Ｆを所定時間触れるジェスチャ指示としたが、本発明はこれに限定されない。拡大対象画像ＩＭＴの画像表示セルＣＥを１回指Ｆで叩くジェスチャ指示（シングルタップ指示）を、拡大対象画像ＩＭＴの選択指示としてもよい。この場合、シングルタップ指示に続いて行われるスワイプ指示を拡大指示として認識し、アルバムページ１４等の内部を上下に指Ｆで払うジェスチャ指示であるスクロール指示とは区別する。
【０１６１】
また、拡大対象画像ＩＭＴの選択指示には、次のような方法も採用可能である。すなわち、まず、所望の画像ＩＭを拡大処理する拡大処理モードに移行する旨の選択肢が設けられたダイアログを表示させる。そして、拡大処理モードに移行する旨の選択肢を選択するジェスチャ指示がなされた後は、指Ｆを所定時間触れるジェスチャ指示、あるいはシングルタップ指示を伴わないスワイプ指示を、拡大指示として受け付ける。この場合、スワイプ指示で最初に指Ｆが触れた画像表示セルＣＥ（スワイプ指示の始点の画像表示セルＣＥ）の画像ＩＭが、拡大対象画像ＩＭＴとして認識される。
【０１６２】
拡大処理モードへの移行前（拡大処理モードの解除後）は、アルバムページ１４へのスワイプ指示を、フリック指示と同様、スクロール指示として受け付ける。こうすれば、拡大処理モードに移行した後は、指Ｆを所定時間触れるジェスチャ指示、あるいはシングルタップ指示をすることなく、スワイプ指示のみで拡大指示を済ませることができる。
【０１６３】
拡大指示とスクロール指示を区別する方法としては、以下の方法も考えられる。すなわち、アルバムページ１４等の端部にスクロールバーを設ける。そして、このスクロールバーに対するジェスチャ指示のみをスクロール指示として受け付け、スクロールバー以外の画像表示セルＣＥが並べられた部分へのジェスチャ指示はスクロール指示として受け付けない。こうすれば、スクロールバーへのジェスチャ指示はスクロール指示として受け付けられ、スクロールバー以外の部分へのジェスチャ指示は拡大指示等として受け付けられるので、拡大指示とスクロール指示を区別することができる。なお、この場合も上記拡大処理モードを用意する場合と同様に、指Ｆを所定時間触れるジェスチャ指示、あるいはシングルタップ指示を伴わないスワイプ指示を、拡大指示として受け付けてもよい。
【０１６４】
図１６等で示したように、列方向に沿って直線状に指Ｆを移動させるスワイプ指示を拡大指示として行う場合には、列方向に沿って指Ｆを払うフリック指示（スクロール指示）との区別が特に問題となるが、上述した様々な方法により、拡大指示とスクロール指示とを明確に区別することができる。
【０１６５】
電子アルバム装置としてスマートフォン１０を例示したが、本発明はこれに限定されない。電子アルバム装置は、タブレット型コンピュータやノート型パソコン等の他の携帯情報端末であってタッチパネルを有するものであればよい。
【０１６６】
また、ネットワーク２７上に存在するネットワークサーバに電子アルバム装置の機能を担わせてもよい。この場合、スマートフォン１０等の携帯情報端末は、ネットワークサーバに拡大指示等のジェスチャ指示を送信し、かつネットワークサーバからアルバム画面１２の画面データを受信する。携帯情報端末は、アルバム画面１２の画面データを、例えばウェブブラウザ上に再現して表示する。
【０１６７】
携帯情報端末はリソースが限られているが、ネットワークサーバは比較的豊富なリソースをもつ。このため、ネットワークサーバに電子アルバム装置の機能を担わせれば、処理速度の格段の向上が見込める。したがって、ネットワーク２７の環境が整ってさえいれば、携帯情報端末に電子アルバム装置の機能を担わせるよりも、ネットワークサーバに電子アルバム装置の機能を担わせるほうが好適である。
【０１６８】
なお、携帯情報端末とネットワークサーバに電子アルバム装置の機能を分担して担わせてもよい。例えば携帯情報端末に指示受付部３５と拡大処理部４１と削除処理部４２の機能を担わせ、ネットワークサーバに画面生成部４０と問い合わせ部４３の機能を担わせる。
【０１６９】
画像格納部３２も同様に電子アルバム装置のストレージデバイス内になくてもよく、ネットワーク２７上に存在する画像蓄積サーバに画像格納部３２を配置してもよい。この場合、アルバム編集部３６は、ネットワーク２７経由で画像蓄積サーバにアクセスして、画像蓄積サーバ内の画像格納部３２から画像ＩＭを読み出す。
【０１７０】
このように、コンピュータシステムのハードウェア構成は、処理能力、安全性、信頼性等の要求される性能に応じて適宜変更することができる。さらに、ハードウェアに限らず、電子アルバムアプリ３０等の様々なアプリについても、安全性や信頼性の確保を目的として、二重化したり、あるいは、複数のストレージデバイスに分散して格納することももちろん可能である。
【０１７１】
上記各実施形態において、指示受付部３５、アルバム編集部３６、画面生成部４０、拡大処理部４１、削除処理部４２、問い合わせ部４３、導出部７１、取得部７２といった各種の処理を実行する処理部（processing unit)のハードウェア的な構造は、例えば、上述したように、ソフトウエア（電子アルバムアプリ３０）を実行して各種の処理部として機能する汎用的なプロセッサであるＣＰＵ２２である。
【０１７２】
また、ＣＰＵ２２が実現する機能の全部または一部に代えて、次のような各種のプロセッサを使用してもよい。各種のプロセッサとしては、例えば、ＦＰＧＡ(Field Programmable Gate Array)等の製造後に回路構成を変更可能なプロセッサであるプログラマブルロジックデバイス（ＰＬＤ；Programmable Logic Device）、ＡＳＩＣ（Application Specific Integrated Circuit）等の特定の処理を実行させるために専用に設計された回路構成を有するプロセッサである専用電気回路などが含まれる。これらの各種のプロセッサのハードウェア的な構造は、より具体的には、半導体素子などの回路素子を組み合わせた電気回路（circuitry）である。
【０１７３】
以上の説明から、以下の付記項に示す発明を把握することができる。
【０１７４】
［付記項１］
複数の画像が配されたアルバムページを含み、タッチパネルディスプレイに表示されるアルバム画面を生成する画面生成プロセッサと、
前記タッチパネルディスプレイへのジェスチャ指示を受け付ける指示受付プロセッサであり、前記ジェスチャ指示として、前記アルバムページ内で前記画像を拡大表示する拡大指示を受け付ける指示受付プロセッサと、
前記拡大指示された前記画像である拡大対象画像を拡大する拡大処理と、前記拡大対象画像とは別の前記画像であって、前記拡大対象画像の拡大後の領域である拡大領域に重なる前記画像を前記アルバムページから削除する削除処理とを含むアルバム編集処理を実行するアルバム編集プロセッサと、
前記削除処理を実行する前に、前記拡大領域に重なる前記画像であって前記アルバムページから削除する予定の前記画像である削除予定画像に対して、前記削除処理を実行してよいか否かを問い合わせる問い合わせプロセッサとを備える電子アルバム装置。
【０１７５】
上述の種々の実施形態や種々の変形例を適宜組み合わせることも可能である。また、本発明は、プログラムに加えて、プログラムを記憶する記憶媒体にもおよぶ。
【符号の説明】
【０１７６】
１０  スマートフォン
１１  ユーザ
１２  アルバム画面
１３  タッチパネルディスプレイ（タッチパネル）
１４  アルバムページ
１５  アンドゥボタン
１６  削除画像リスト表示ボタン
１７  隙間
２０  ストレージデバイス
２１  メモリ
２２  ＣＰＵ
２３  通信部
２４  データバス
２５  ディスプレイ
２６  タッチパッド
２７  ネットワーク
３０  電子アルバムアプリ（電子アルバムアプリケーションプログラム）
３１  アルバム管理情報
３２  画像格納部
３５  指示受付部
３６、７０  アルバム編集部
４０  画面生成部
４１  拡大処理部（認識部）
４２  削除処理部
４３  問い合わせ部
４５  トリミング位置調整画面
４６  キャンセルボタン
４７  チェックボタン
５０、６５  削除予定画像リスト
５１  チェックボックス
５２  残すボタン
５３  全削除ボタン
６０  削除画像リスト
６６  削除ボタン
６７  全残しボタン
７１  導出部
７２  取得部
７３  削除予定画像情報
７４  非表示部分
７５  アンドゥ表示ダイアログ
ＩＭ  画像
ＩＭＴ  拡大対象画像
ＩＭＰ  削除予定画像
ＩＭＥ  拡大後画像
ＩＭＤ  削除画像
ＣＥ  画像表示セル
ＵＣＥ  単位セル
Ｆ  指
ＴＲ  軌跡
ＥＲ  拡大領域
ＡＲ  電子アルバム領域
ＳＴ１〜ＳＴ４、ＳＴ１０〜ＳＴ４０、ＳＴ１００〜ＳＴ１８０  ステップ
【図１】
0006979472.tif 000002
【図２】
0006979472.tif 000003
【図３】
0006979472.tif 000004
【図４】
0006979472.tif 000005
【図５】
0006979472.tif 000006
【図６】
0006979472.tif 000007
【図７】
0006979472.tif 000008
【図８】
0006979472.tif 000009
【図９】
0006979472.tif 000010
【図１０】
0006979472.tif 000011
【図１１】
0006979472.tif 000012
【図１２】
0006979472.tif 000013
【図１３】
0006979472.tif 000014
【図１４】
0006979472.tif 000015
【図１５】
0006979472.tif 000016
【図１６】
0006979472.tif 000017
【図１７】
0006979472.tif 000018
【図１８】
0006979472.tif 000019
【図１９】
0006979472.tif 000020
【図２０】
0006979472.tif 000021
【図２１】
0006979472.tif 000022
【図２２】
0006979472.tif 000023
【図２３】
0006979472.tif 000024
【図２４】
0006979472.tif 000025
【図２５】
0006979472.tif 000026
【図２６】
0006979472.tif 000027
【図２７】
0006979472.tif 000028
【図２８】
0006979472.tif 000029
【図２９】
0006979472.tif 000030
【図３０】
0006979472.tif 000031
【図３１】
0006979472.tif 000032
【図３２】
0006979472.tif 000033
【図３３】
0006979472.tif 000034
【図３４】
0006979472.tif 000035
【図３５】
0006979472.tif 000036
【図３６】
0006979472.tif 000037
【図３７】
0006979472.tif 000038
【図３８】
0006979472.tif 000039